(57)【要約】複数のエネルギー調節機能を提供することができる電極アーキテクチャを与えるさまざまな対をなす相補電極（８５５）および他の所定の要素を遮蔽するのに使用可能な共通に構成されたエネルギー経路の所定の順次の組合せに選択的に形成されまたはアマルガム化された、遮蔽に使用可能な相補電極のグループのための所定の単一の電極遮蔽セット（８００ｅ）。
2004522295.tif 000002
【特許請求の範囲】
【請求項１】
１つの回路を調節する相補的な第１の手段と、
他の１つの回路を調節する相補的な第２の手段と、
相補的な第１および第２の調節手段を個別にかつ互いから遮蔽する手段と
を備えたアマルガム。
【請求項２】
１つの回路のエネルギーを対向させる分離された第１の手段と、
別の１つの回路のエネルギーを対向させる分離された第２の手段と、
エネルギーを対向させる分離された第１および第２の手段を個別にかつ互いから遮蔽する手段と
を備えたアマルガム。
【請求項３】
１つの回路の遮蔽されたエネルギーを対向させる第１の手段と、
別の１つの回路の遮蔽されたエネルギーを対向させる第２の手段と、
遮蔽されたエネルギーを対向させる第１および第２の手段を個別にかつ互いから遮蔽する手段と
を備えたアマルガム。
【請求項４】
分離された第１の回路の一部分のエネルギーを調節する手段と、分離された第２の回路の一部分のエネルギーを調節する手段と、遮蔽手段とを備え、
遮蔽手段が、分離された第１の回路の前記一部分および分離された第２の回路の前記一部分を他方から遮蔽する
アマルガム。
【請求項５】
遮蔽手段が、実質的に同じサイズおよび同じ形状の複数の電極であり、
前記複数の電極のそれぞれの電極が互いに導電的に結合された、
請求項１に記載のアマルガム。
【請求項６】
遮蔽手段が、実質的に同じサイズおよび形状の複数の電極であり、
前記複数の電極のそれぞれの電極が互いに導電的に結合された、
請求項２に記載のアマルガム。
【請求項７】
遮蔽手段が、互いに導電的に結合された複数の電極であり、
前記複数の電極のそれぞれの電極が実質的に同じサイズおよび形状である、
請求項３に記載のアマルガム。
【請求項８】
遮蔽手段が、実質的に同じサイズおよび形状の複数の電極であり、
前記複数の電極のそれぞれの電極が互いに導電的に結合された、
請求項４に記載のアマルガム。
【請求項９】
遮蔽手段、第１および第２の相補的な調節手段が、所定の特性を有する材料によって互いから離隔されている、請求項１に記載のアマルガム。
【請求項１０】
遮蔽手段、エネルギーを対向させる分離された第１および第２の手段を遮蔽する手段が、所定の特性を有する材料によって互いから離隔されている、請求項２に記載のアマルガム。
【請求項１１】
遮蔽手段、遮蔽されたエネルギーを対向させる第１および第２の手段を遮蔽する手段が、所定の特性を有する材料によって互いから離隔されている、請求項３に記載のアマルガム。
【請求項１２】
分離された第１の回路の一部分のエネルギーを調節する手段、分離された第２の回路の一部分のエネルギーを調節する手段および遮蔽手段が、所定の特性を有する少なくとも１種の材料によって互いから離隔されている、請求項４に記載のアマルガム。
【請求項１３】
遮蔽手段が、実質的に同じサイズおよび形状の複数の電極であり、
前記複数の電極のそれぞれの電極が互いに導電的に結合された、
請求項９から１２の一項に記載のアマルガム。
【請求項１４】
遮蔽手段が、実質的に同じサイズおよび形状の複数の電極であり、
前記複数の電極のそれぞれの電極が互いに導電的に結合されており、
アマルガムが多層アレイとして動作可能な、
請求項９から１２の一項に記載のアマルガム。
【請求項１５】
遮蔽手段が、実質的に同じサイズおよび形状の複数の電極であり、
前記複数の電極のそれぞれの電極が互いに導電的に結合されており、
前記複数の電極がファラデー・ケージとして動作可能な、
請求項９から１２の一項に記載のアマルガム。
【請求項１６】
受動エネルギー調節器として動作可能な、請求項１から８または９から１２のいずれかに記載のアマルガム。
【請求項１７】
受動エネルギー調節器として動作可能であり、
調節された受動エネルギーが多層アレイである、
請求項１から８または９から１２のいずれかに記載のアマルガム。
【請求項１８】
遮蔽手段が、互いに導電的に結合された複数の電極であり、
前記複数の電極のそれぞれの電極が実質的に同じサイズおよび形状であり、
遮蔽手段がファラデー・ケージとして動作可能な、
請求項１から４または９から１２のいずれかに記載のアマルガム。
【請求項１９】
遮蔽手段が、互いに導電的に結合された複数の電極であり、
前記複数の電極のそれぞれの電極が実質的に同じサイズおよび同じサイズであり、
前記複数の電極のそれぞれの電極が環形である、
請求項１から４または９から１２のいずれかに記載のアマルガム。
【請求項２０】
遮蔽手段が、互いに導電的に結合された複数の電極であり、
前記複数の電極のそれぞれの電極が実質的に同じサイズおよび同じサイズであり、
前記複数の電極のそれぞれの電極が少なくとも１つの開口を含む、
請求項１から４または９から１２のいずれかに記載のアマルガム。
【請求項２１】
エネルギー部分が第１の源を出て、第１の負荷の入力に伝搬し、次いで第１の負荷の出力から再び第１の源に伝搬することができるように動作可能な第１のエネルギー伝搬手段と、
エネルギー部分が第２の源を出て、第２の負荷の入力に伝搬し、次いで第２の負荷の出力から再び第２の源に伝搬することができるように動作可能な第２のエネルギー伝搬手段と、
第１および第２のエネルギー伝搬手段の少なくとも所定の部分を遮蔽する手段と
を備え、
第１のエネルギー伝搬手段、第２のエネルギー伝搬手段および遮蔽手段が互いから導電的に分離されている
アマルガム。
【請求項２２】
第１のエネルギー源から第１のエネルギー利用負荷の少なくとも１つの入力まで導電的に結合された第１のエネルギー経路、および第１のエネルギー利用負荷の出力から第１のエネルギー源の少なくとも１つの帰入力（ｒｅｔｕｒｎ）まで導電的に結合された第２のエネルギー経路を含み、第１および第２のそれぞれのエネルギー経路の相互相補部分が、エネルギー経路構造によって個別にかつ他方から同時に遮蔽される、互いに導電的に分離された第１の複数のエネルギー経路と、
第２のエネルギー源から第２のエネルギー利用負荷の少なくとも１つの入力まで導電的に結合された第１のエネルギー経路、および第２のエネルギー利用負荷の出力から第２のエネルギー源の少なくとも１つの帰入力まで導電的に結合された第２のエネルギー経路を含み、第１および第２のそれぞれのエネルギー経路の相互相補部分が、エネルギー経路構造によって個別にかつ他方から同時に遮蔽される、互いに導電的に分離された第２の複数のエネルギー経路と
を備え、
エネルギー経路構造が、第１または第２の複数のエネルギー経路の任意の１つの相互相補部分を、それぞれ第１または第２の複数のエネルギー経路の他の任意の１つの相互相補部分から同時に遮蔽する
アマルガム。
【請求項２３】
第１および第２のエネルギー伝搬手段の所定の部分が、第１および第２のエネルギー伝搬手段の少なくとも所定の部分を遮蔽する手段によって個別にかつ互いからそれぞれ遮蔽された、請求項２１に記載のアマルガム。
【請求項２４】
電極配置の所定の導電性部分を利用して少なくとも２つの回路の伝搬エネルギー部分を調節する方法であって、
少なくとも複数の所定の導電性部分を有する電極配置を用意する段階と、
少なくとも２つの回路を用意する段階
を含み、
前記少なくとも２つの回路のそれぞれの回路がさらに、源、負荷、および源および負荷の２端の一方にそれぞれ導電的に結合された一対のエネルギー経路を含み、
さらに、
電極配置の複数の所定の導電性部分のうちの少なくとも１つの第１の所定の導電性部分を、回路電圧基準として動作可能な電位を有する導電性経路に導電的に結合する段階と、
前記少なくとも２つの回路の第１の回路の第１のエネルギー経路対の第１および第２のエネルギー経路を、複数の所定の導電性部分の第２および第３の所定の導電性部分に導電的に結合する段階と、
前記少なくとも２つの回路の第２の回路の第２のエネルギー経路対の第１および第２のエネルギー経路を、複数の所定の導電性部分の第４および第５の所定の導電性部分に導電的に結合する段階と、
前記少なくとも２つの回路に通電して、前記少なくとも２つの回路がそれぞれ前記回路電圧基準を同時に利用できるようにする段階と
を含む方法。
【請求項２５】
互いに導電的に結合された複数の電極と、
互いに導電的に分離された第１の電極セットと、
互いに導電的に分離された第２の電極セットと
を備え、
第１および第２の電極セットならびに前記複数の電極が互いに導電的に分離され、
前記複数の電極の第１および第２の電極が第１の電極セットをサンドイッチし、前記複数の電極の第２および第３の電極が第２の電極セットをサンドイッチし、
第１の電極セットのそれぞれの電極が、第２の電極セットの対応する電極に対してそれぞれ反対向きの位置に配置され、
前記複数の電極のそれぞれの電極が、位置を合わせて互いに重ねられた遮蔽電極であり、
前記複数の電極が互いに重ねられている
電極配置。
【請求項２６】
電極を遮蔽する導電性手段と、
互いに導電的に分離された第１の電極セットと、
互いに導電的に分離された第２の電極セットと
を備え、
第１の電極セットのそれぞれの電極が、第２の電極セットの対応する電極に対してそれぞれ反対向きの位置に配置され、
第１および第２の電極セットが、電極を遮蔽する導電性手段の間に差し込まれ、かつ電極を遮蔽する導電性手段によってサンドイッチされ、
第１および第２の電極セットならびに電極を遮蔽する導電性手段が互いに導電的に分離されている
電極配置。
【請求項２７】
実質的に同じサイズおよび形状の複数の電極と、
互いに導電的に分離された第１の電極セットと、
互いに導電的に分離された第２の電極セットと
を備え、
第１および第２の電極セットならびに前記複数の電極が互いに導電的に分離され、
第１の電極セットのそれぞれの電極が、第２の電極セットの対応する電極に対してそれぞれ反対向きの位置に配置され、前記複数の電極の第１および第２の電極によって第１の電極セットがサンドイッチされ、前記複数の電極の第２および第３の電極によって第２の電極セットがサンドイッチされ、
前記複数の電極の電極が互いに導電的に結合され、かつ互いに重ねられており、遮蔽構造として動作可能である
電極配置。
【請求項２８】
全て互いに導電的に結合された第１、第２、第３、第４および第５の遮蔽電極を含む複数の遮蔽電極と、
全て互いに導電的に分離された第１、第２、第３および第４の電極を含む複数の電極と
を備え、
第１および第２の遮蔽電極が第１の電極をサンドイッチし、第２および第３の遮蔽電極が第２の電極をサンドイッチし、第３および第４の遮蔽電極が第３の電極をサンドイッチし、第４および第５の遮蔽電極が第４の電極をサンドイッチし、
前記複数の電極の電極が互いに重ねられており、遮蔽構造として動作可能である
電極配置。
【請求項２９】
遮蔽構造のようにも機能する電極遮蔽手段と、
互いに導電的に分離された第１、第２、第３および第４の電極
を備え、
電極遮蔽手段が、第１、第２、第３および第４の電極をそれぞれ実質的に取り囲み、
第１の電極と第２の電極が実質的に同じサイズおよび形状であり、第１の対配置において第１の電極と第２の電極が互いに反対向きに配置され、
第３の電極と第４の電極が実質的に同じサイズおよび形状であり、第２の対配置において第３の電極と第４の電極が互いに反対向きに配置され、
第１の対配置と第２の対配置が、前記複数の電極に対して他方から少なくとも９０度離れた位置に配置された
電極配置。
【請求項３０】
重ねられた配置である共通に結合された電極遮蔽手段と、
互いに導電的に分離された第１、第２、第３および第４の電極と
を備え、
共通に結合された電極遮蔽手段が、第１、第２、第３および第４の電極をそれぞれ実質的に取り囲み、
第１の電極と第２の電極が実質的に同じサイズおよび形状であり、第１の対配置において第１の電極と第２の電極が互いに反対向きに配置され、
第３の電極と第４の電極が実質的に同じサイズおよび形状であり、第２の対配置において第３の電極と第４の電極が互いに反対向きに配置され、
第１の対配置と第２の対配置が、共通に結合された電極遮蔽手段に対して他方から少なくとも９０度離れた位置に配置された
電極配置。
【請求項３１】
互いに導電的に分離された電極を遮蔽する手段と、
互いに導電的に分離された第１、第２、第３および第４の電極と
を備え、
互いに導電的に分離された電極を遮蔽する手段が、第１、第２、第３および第４の電極からそれぞれ導電的に分離され、
第１の電極と第２の電極が互いに第１の相互対向配置方向にあり、第３の電極と第４の電極が第２の相互対向配置方向にあり、
第１の相互対向配置方向と第２の相互対向配置方向が、互いに導電的に分離された電極を遮蔽する手段に対して、互いから少なくとも９０度回転して配置され、
互いに導電的に分離された電極を遮蔽する手段がさらに、少なくとも第１、第２、第３および第４の電極の遮蔽構造のように機能する
電極配置。
【請求項３２】
第１の遮蔽電極；第１の電極；第２の遮蔽電極；第２の電極；第３の遮蔽電極；第３の電極；第４の遮蔽電極；第４の電極および第５の遮蔽電極を含む最小電極配置配列
を備え、
第１、第２、第３、第４および第５の遮蔽電極が、互いに導電的に結合された実質的に同じサイズおよび形状の複数の遮蔽電極からのものであり、
第１、第２、第３および第４の電極が、互いに導電的に分離された実質的に同じサイズおよび形状の複数の電極からのものであり、
第１の電極と第２の電極が互いに対して第１の対向方向位置に配置され、第３の電極と第４の電極が互いに対して第２の対向方向位置に配置され、
第１の対向方向位置と第２の対向方向位置が複数の遮蔽電極に対して他方から少なくとも９０度離れて配置され、
複数の遮蔽電極が遮蔽構造として機能する
電極配置。
【請求項３３】
遮蔽構造が、接地および通電されないファラデー・ケージのように機能する、請求項２５に記載の電極配置。
【請求項３４】
第１の複数の電極の任意の１つの電極が、第１および第２の電極セットの任意の１つの電極よりも同様に大きい、請求項２５に記載の電極配置。
【請求項３５】
前記複数の電極のそれぞれの電極が互いに位置を合わせて重ねられた、請求項２５に記載の電極配置。
【請求項３６】
第１の電極セットのそれぞれの電極が、第２の電極セットの対応する電極と実質的に同じサイズおよび形状である、請求項２５に記載の電極配置。
【請求項３７】
第１および第２の電極セットならびに前記複数の電極が少なくとも１種の材料によって互いに離隔されており、
前記材料がフェライト材料を含む、
請求項２５に記載の電極配置。
【請求項３８】
第１および第２の電極セットならびに前記複数の電極が少なくとも１種の材料によって互いに離隔されており、
前記材料が誘電材料を含む、
請求項２５に記載の電極配置。
【請求項３９】
第１および第２の電極セットならびに前記複数の電極が少なくとも１種の材料によって互いに離隔されており、
前記材料がバリスタ材料を含む、
請求項２５に記載の電極配置。
【請求項４０】
少なくとも２つの回路
を備え、前記２つの回路のそれぞれの回路がそれぞれに、
少なくとも１つのエネルギー源およびエネルギー利用負荷と、
回路の第１のエネルギー源から回路のエネルギー利用負荷まで導電的に結合されたエネルギー源経路として動作可能な第１の導体と、
回路の第１のエネルギー利用負荷から回路のエネルギー源まで導電的に結合されたエネルギー帰還経路として動作可能な第２の導体と、
回路の第２のエネルギー源から回路のエネルギー利用負荷まで導電的に結合されたエネルギー源経路として動作可能な第３の導体と、
回路の第２のエネルギー利用負荷から回路のエネルギー源まで導電的に結合されたエネルギー帰還経路として動作可能な第２の導体と、
アマルガムのどの１つの導体からも導電的に分離された導電性領域と、
アマルガムと
を有し、前記アマルガムが、
互いに導電的に結合された複数の電極と、
互いに導電的に分離された第１の電極セットと、
互いに導電的に分離された第２の電極セットと
を有し、
第１および第２の電極セットならびに前記複数の電極が少なくとも１種の材料によって互いに離隔され、
第１および第２の電極セットならびに前記複数の電極が互いに導電的に分離され、
前記複数の電極の第１および第２の電極が第１の電極セットをサンドイッチし、前記複数の電極の第２および第３の電極が第２の電極セットをサンドイッチし、
第１の電極セットのそれぞれの電極が、第２の電極セットの対応する電極に対してそれぞれ反対向きの位置に配置され、
第１の電極セットの第１の電極が第１の導体に結合され、第２の電極セットの第１の電極が第２の導体に導電的に結合され、第１の電極セットの第２の電極が第３の導体に導電的に結合され、第２の電極セットの第２の電極が第４の導体に導電的に結合され、複数の遮蔽電極が導電性領域に導電的に結合されている
アマルガム・アセンブリ。
【発明の詳細な説明】
【０００１】
（技術分野）
本発明の新規の実施形態は、伝搬エネルギー部分に対する複数のエネルギー調節機能（ｅｎｅｒｇｙ  ｃｏｄｉｔｉｏｎｉｎｇ  ｆｕｎｃｔｉｏｎ）を提供することができる電極アーキテクチャが得られるように、相補電極および／または相補電極グループならびに他の所定の要素を所定の順序で組み合わせて選択的にアマルガム化された、単一の電極遮蔽セットを使用する所定のアマルガム（ａｍａｌｇａｍ）に関する。アマルガム化（ａｍａｌｇａｍａｔｉｏｎ）の変形形態は、１つの回路に単一の共通電圧基準機能を提供するだけでなく、複数の動的エネルギー調節動作を実行しながら複数の分離された回路システムに同時に共通電圧基準機能を提供するように同時に動作することができる。
【０００２】
（発明の背景）
今日、電子具体物の密度は世界中で増大し続けているので、電磁干渉（ＥＭＩ）を抑制し、電子機器を電磁干渉から保護するための政府の基準および自ら課した基準ははるかに厳しくなった。わずか数年前、干渉の主要な原因は、電圧不平衡、エネルギー・サージによるスプリアス電圧過渡現象、人間または他の電磁波発生源などの原因および状態に起因するものであった。
【０００３】
より高い動作周波数では、従来技術の構成部品を使用した伝搬エネルギー部分のライン調節によって、ＥＭＩ、ＲＦＩならびに容量および誘導性寄生の形態の電磁干渉のレベルは増大した。これらの増大は一つには、より高い動作周波数で機能しているときに関連電気回路に干渉を生み出しまたは誘導する受動構成部品の固有の製造不平衡および性能欠陥による。ＥＭＩは、ＥＭＩからの遮蔽を望ましくする電気回路経路自体からも発生する。
【０００４】
ケーブル、回路板トラックまたはトレース、高速伝送線および母線経路に沿って、差動モード（ｄｉｆｆｅｒｅｎｔｉａｌ  ｍｏｄｅ）および同相モード（ｃｏｍｍｏｎ  ｍｏｄｅ）の雑音エネルギーが発生する可能性があり、これらの雑音は通常、これらの経路の周囲で横断する。多くの場合、これらの重要なエネルギー導体はエネルギー場を放射するアンテナとして機能し、問題をよりいっそう悪化させる。
【０００５】
例えば高周波減結合に対するものなどの他のエネルギー調節領域における新規かつユニークな方法は、物理的に近い位置で、複数のエネルギー経路または電極グループが互いに電気的に近接して動的に動作することを可能にし、１つの電極配置アマルガム内の他の要素の中でこれらとともに見られる少なくとも１つの電極またはエネルギー経路遮蔽構造によって容易にされたときに共通エネルギー基準節点を同時に共用する、機能上の能力と物理構成の両方で一体のアマルガムおよび／またはアマルガム回路配置を提供する方法である。
【０００６】
少なくとも１つの遮蔽電極構造（ｓｈｉｅｌｄｉｎｇ  ｅｌｅｃｔｒｏｄｅ  ｓｔｒｕｃｔｕｒｅ）を全ての回路に対して利用するエネルギー調節回路実施形態として製造され、そのように使用可能な所定のアマルガムが求められている。
【０００７】
さらに、それぞれの相補電極対に沿って動作する伝搬相補エネルギー部分を動的に遮蔽するように機能する全ての回路に対して単一の共通静的構造を可能にし、さらに、動的エネルギー基準節点として動作可能な低インピーダンス共通エネルギー経路を提供する複数の回路配置も求められている。
【０００８】
（発明の概要）
本発明は、通電したときに（ｗｈｅｎ  ｅｎｅｒｇｉｚｅｄ）複数の回路に調節機能を同時に提供するように実際に動作可能であるエネルギー調節構成部品またはアマルガムを提供することによって当技術分野の現在の限界を克服する。これらの利点および他の利点は、第１の回路を調節する相補的な第１の手段と、第２の回路を調節する相補的な第２の手段と、第１および第２の相補的な調整手段をグループの一部として個別に遮蔽し、かつ同様に互いから遮蔽することができる遮蔽手段とを少なくとも備えたアマルガムによって提供される。これらの利点および他の利点は、以下の図面および説明を参照することによって明白となる。
【０００９】
（実施形態の詳細な説明）
簡潔には、この開示全体を通じて使用される語は、出願人が意味するものとして本明細書に与えられた説明を有する辞書を調べることによって定義される用語「アマルガム」である。アマルガムは、特に、「動的な使用および／または状態に対して使用可能な実施形態を形成するために全て一緒にアマルガム化された、さまざまな材料組成およびフォーマットに配置され、非整列、整列、相補的対合、重なり、オフセット・スペースまたは離隔整列、および３次元関係を有する、相対的および非相対的な単一のおよび／またはグループ化された寸法関係、サイズ関係、離隔、離近（ｓｐａｃｅｄ−ｎｅａｒ）、連続、不連続関係配置を使用しているエネルギー調節実施形態として製作された単一のおよび／またはグループ化された導電性、半導電性および不導電性材料要素の混合物を有する、調和した組合せの種々のまたは同種の要素を含む一般的な組合せ」を含む。この用語は、通常、辞書のアマルガムの項の最初に定義されている「水銀と他の金属との各種合金」ではない。したがって、本明細書では開示の目的上、アマルガムを、先に一般化された方法で説明したさまざまな一般的なアマルガムおよび／またはアマルガム回路配置を包含するものとして使用する。
【００１０】
さらに、語「物理的な収束および／または接合の所定の領域および／またはスペース」の頭字語である本明細書で使用される「ＡＯＣ」は通常、動いている電子が開示のとおりにアマルガムおよび／またはアマルガム回路配置要素を使用している、一体に製造されたアマルガムおよび／またはアマルガム回路配置要素の物理的な境界を通常含むアマルガムまたはアマルガム回路配置のエネルギー調節の相対的な影響境界の個別または非個別バージョンとして定義される。本発明のアマルガムおよび／またはアマルガム回路配置はさらに、多回路動作に対する動作可能性を同時に有し、「電気的に相補的な」動作（その意味は、他方に対して反対の電気動作を生じさせることが実行可能または使用可能な条件または状態である）に対して動作可能なさまざまな電極対および／または相補電極対をほぼ完全に包囲する導電的に結合された多電極遮蔽配置アーキテクチャを含む、電極配置の個別および非個別バージョンに関する。
【００１１】
アマルガムは、複数の回路に対するエネルギー調節動作を同時に遮蔽し平滑化する、バイパスおよび／またはフィードスルー・モードまたは動作などの均一に混合された、および／または不均一に混合されたさまざまなエネルギー伝搬モードを含むことができる。この新しいアマルガムは、新しい実施形態の複数の相補電極の部分および／あるいは単一のまたは複数の回路部分に沿って伝搬しているさまざまなエネルギー部分に使用可能な複数のエネルギー調節機能を容易にし、一方で、導電的に「接地」された複数の第１の電極または複数の遮蔽電極によって供給された共通基準節点機能を利用することが分かった。
【００１２】
本発明のアマルガムおよび／またはアマルガム回路配置のほぼ全ての実施形態に関して、出願人は、選択し、アマルガムおよび／またはアマルガム回路配置の最終的な構成に結合することができ、一方で、正常に製造し、回路セットの中に配置し、通電した後も、所望の程度のエネルギー調節機能の全てを、一般的なアマルガムおよび／またはアマルガム回路配置内に依然として維持しているさまざまな広範囲の可能な材料を組み合わせるオプションを製造業者が有することを企図する。
【００１３】
所定の特性を有する材料８０１は通常、間に置かれ、導電結合に利用される配置のさまざまな電極のそれぞれとともに通常見られる所定の位置を除く、配置のさまざまな電極を取り囲む実質的に全ての点で非導電的に結合される。所定の特性を有する物質および／または材料８０１は、配置のさまざまな電極に対してエネルギー絶縁機能を提供し、ケースおよび／または構造支持、ならびに配置のさまざまな被遮蔽電極（ｓｈｉｅｌｄｅｄ  ｅｌｅｃｔｒｏｄｅ）と遮蔽電極（ｓｈｉｅｌｄ  ｅｌｅｃｔｒｏｄｅ）との間に必要な適当な離隔距離を提供する。これらの要素はほとんどの場合、さまざまな組合せの多くを含む、電極経路要素の単一のおよび／またはグループ化された所定の対および／またはグループの中に、またはこれらを貫通して延びる電極経路に関して概ね包囲／隣接関係に配置される。
【００１４】
所定の特性を有する材料８０１の部分、および／または単一の範囲の所定の特性を有する材料８０１の平面部分は、アマルガムまたはアマルガム回路配置のいくつかの他のバージョンでは必ずしも必須ではないことに留意されたい。さまざまなタイプの離隔媒質、絶縁体、誘電体、容量性材料、および／または誘導、強磁性、フェライト、バリスタ材料の実施形態は、材料８０１を含むことができ、絶縁体、誘電体、容量性材料、バリスタ、酸化金属バリスタ型の材料、強磁性材料、フェライト材料、および／またはこれらの任意の組合せの特性を個別に、または任意の組合せで有する材料の化合物または組合せを、実施形態の離隔エネルギー経路に使用することができる。
【００１５】
例えば、フェライト特性を有する材料８０１および／またはフェライトの任意の組合せを含むアマルガムおよび／またはアマルガム配置は、電極のすでに内在している抵抗特性に加わるであろうより強い誘導特性を提供すると考えられる。さらに、全てこの開示に記載された誘電性、非導電性および／または半導電性媒質、誘電体型の材料、所定の特性を有する材料ならびに／あるいは所定の特性を有する媒質によって通常満たされた少なくともある種類のスペーシングを、単純に絶縁体および／または非導電材料部分と呼ぶことができる。
【００１６】
材料８０１のプレートおよび／または部分、材料８０１の組合せ、ならびに／あるいは材料８０１のラミネートは、自己支持型電極、および／あるいは処理されかつ／または化学的に「ドープ」された材料などの電極材料付着物を受け取ることが実際にはできず、空気などの他のスペーシング物質および／または他の任意のスペーシングが使用される。詳細には、例えば誘電材料などの実施形態の構成用の材料は、使用可能な処理技術と適合する材料要素の１つおよび／または複数の層を含むことができ、通常は任意の可能な誘電材料に限定されない。これらの材料は、シリコン、ゲルマニウム、ガリウム・ヒ酸、ガリウム・ヒ素などの半導体材料、ならびに／あるいは任意のＫ、高Ｋおよび低Ｋ誘電体などの半絶縁および／または絶縁材料とすることができるが、この実施形態は通常、特定の誘電率Ｋを有する材料に限定されない。
【００１７】
さらに、８０１のような複数の材料および／または互いに異なる電気特性を有するこのような材料の組合せのうち、１つおよび／または複数の材料を、配置の遮蔽電極および／または遮蔽電極経路と被遮蔽電極および被遮蔽電極経路との間に維持することができる。厚さ数ミリメートル以下の小さなアマルガムおよび／またはアマルガム回路配置、アーキテクチャおよび変形は、多くの代替電極、および誘電特性を有する材料などの最高１０００以上の層から成る所定の特性を有する材料を具体化することができる。したがって、より小さなサイズのアマルガムまたはアマルガム・サブ回路アセンブリは、強磁性材料および／または強磁性体に似た誘電層、誘導−フェライト誘電誘導体材料などの、ナノ・サイズ電極によって使用されるスペーシング材料８０１を含む要素を同様に利用することができる。これらの材料はさらに、一般的な実施形態に含まれるさまざまな所定の電極経路のほとんどのケースで構造支持を提供するが、所定の特性を有するこれらの材料はさらに、実施形態全体および通電された回路が、構造的に支持されたさまざまな所定の電極経路に沿って移動している同時の一定の中断されないエネルギー部分の伝搬を維持し、かつ／または助けるのを助ける。これらの導体は実際には回路網の一部および／または回路網である。
【００１８】
電極および／または電極経路に適した電極および／または導体材料は、Ａｇ、Ａｇ／Ｐｄ、Ｃｕ、Ｎｉ、Ｐｔ、Ａｕ、Ｐｄおよび／または同種の他の金属から成るグループから選択することができる。抵抗材料のこれらの金属材料の組合せがこの目的に適し、これには例えば適当な金属酸化物（酸化ルテニウムなど）が含まれる。これは、特定の応用の緊急性に応じて適当な金属で希釈することができる。一方、他の電極部分は、実質的に非抵抗性の導電材料から形成することができる。電極自体はさらに、ほぼ任意の物質または材料の部分、材料の組合せ、フィルム、プリント回路板材料を、形式上非導電性および／または半導電性の材料部分から電極経路を生み出すことができる任意のプロセスとともに使用することができ、ドープト・ポリシリコン、焼結された多結晶、金属、および／またはポリシリコン・シリケート（ｐｏｌｙｓｉｌｉｃｏｎ  ｓｉｌｉｃａｔｅ）、ポリシリコン・シリケートなどの導電性領域を生み出すことができる任意の物質および／またはプロセスが出願人によって企図される。ただしこれらに限定されるわけではない。
【００１９】
繰り返しになるが、この実施形態は通常、ニッケル・ベースの磁性材料などの任意の可能な導電材料部分に限定されない。これはさらに、さまざまな導電材料部分組成、導電性磁場影響材料ハイブリッドおよび導電性ポリマー・シート、処理されたさまざまな導電性および非導電性ラミネート、ストレート導電性付着物、材料上に導電的にドープされ、導電的に付着されさまざまなタイプの磁性材料遮蔽および選択的遮蔽を利用した複数の遮蔽関連電極経路、導電性はんだなどの導電性および非導電性要素の複数の電極経路を含む追加の電極構造要素を、材料および構造要素のさまざまな組合せで利用して、通常、製造前および／または通電のためにより大きな電気システムへ配置する前に予め決定される、一般的な個別および／または非個別アマルガムならびに／あるいはアマルガム配置および／または構成を利用したときにホストおよびさまざまなエネルギー調節オプションを使用者に提供することを含む。
【００２０】
対向する相補電極経路の電極配置の製作公差、および電極配置の一部の共用中央電極経路間で見られる容量バランスは、共有遮蔽電極配置構造の両側を測定するときに見つけることができ、従来技術の個別ユニット中で広範囲かつ一般的に指定されるＸ７Ｒなどの共通非専門誘電体および／または電極導電材料部分を使用して、アマルガム配置の製造中に工場で生み出された容量または磁性レベルに容易に維持することができる。アマルガムは、相互に共用されるＡライン−Ａライン結合、ならびに少なくとも（２つの）Ａライン−ＣラインおよびＢライン−Ｃライン（Ｃラインは導電性領域、ＧｎＤまたは基準電位である）で、電気的に相補的な動作で同時に動作するように設計されるので、要素の配置、サイズ、分離、結合配置による、このタイプのエネルギー回路の結果の相補的な容量バランスおよび／または公差バランシング特性は、例えば１％の容量公差で通常通りに製造された電極配置が、システムに配置されたときに分割遮蔽電極構造に関して、電極配置内の電気的にかつ／または電荷対向的に対をなす相補エネルギー電極経路間に維持され、相関された１％の容量公差を、取り付けられかつ／または（導電的に）結合された通電された回路に与えることを可能にする。
【００２１】
特定のおよび／または所定の構造化された層配置を通常通りに製造するとき、および／または製造した後に、ライン調節、減結合を実行し、かつ／またはエネルギーの伝送を所望のエネルギー形態および／または電気形状に修正するのを助けるために、この配置を成形し、埋め込み、包囲し、かつ／あるいはさまざまなエネルギー・システムおよび／または他のサブシステムに挿入することができる。この電極配置は、アマルガムおよび／またはアマルガム回路配置構成が、グループ化された隣接するアマルガムおよび／またはアマルガム回路配置要素の間で内部的に見られる対向する圧力の電圧分割およびバランシング機構を利用することを可能にし、材料ヒステリシスおよび圧電効果ならびに／または従来技術で普通に見られる現象の効果を実質的に最小化し、通常は中断されかつ／または失われるであろう伝搬エネルギーの部分が、スイッチング応答ならびにアマルガムおよび／またはアマルガム回路配置に結合されたエネルギー利用負荷に瞬時のエネルギー伝搬を提供するために克服する必要がある時間制約を受けている、任意の能動構成部品への送達能力に使用可能なアマルガムおよび／またはアマルガム回路配置エネルギーの形態で実質上保持される程度まで低減させる新しい実施形態に電圧分割構造を変換する電極配置を含む要素を通して、最小化されたヒステリシスおよび圧電効果を全体的に可能にする。
【００２２】
これによって、これらの電気的に対向し、かつ／または電荷が対向する相補的な電極経路を、中央に配置された同じ共用共通遮蔽電極経路および／または電極の両側に電気的かつ物理的に配置することができ、したがって、被遮蔽電極経路からのものでない中央共用遮蔽共通電極のこの介在効果がさらに、さまざまな回路電圧利用を実際に半分に分割する電圧分割機能を生みだし、反対向きに対にされた相補的なそれぞれの導体を提供する。通常、電圧エネルギーの半分は電極配置アーキテクチャを含まない回路から期待される。単に、対をなす被遮蔽電極は、電気的に、かつ／または介在する遮蔽と相補経路でない関連する相対共通導体および／または電極経路との間で電荷対向的に互いに向かい合っているので、通電された回路中に電圧分割関係が存在することを認識することができる。電極配置内に相補導体を含む通電された回路は常に、全体的に、電気的にかつ／または電荷対向的に、内部で、中央に配置された遮蔽共通共用経路電極に関して、アマルガムおよび／またはアマルガム回路配置を構成するそれぞれの回路システム・メンバおよび／あるいは部分に対して平衡が保たれる。
【００２３】
アマルガムおよび／またはアマルガム回路配置を構成するそれぞれの共通回路システム・メンバおよび／または部分は通常、共通領域および／または共通電極経路に取り付けられ、かつ／または（導電的に）結合されて、アマルガムおよび／またはアマルガム回路配置の少なくともＡＯＣ部分を構成する少なくとも複数のそれぞれの回路内に見られるさまざまな伝搬エネルギー部分とのエネルギー関係のために、アマルガムおよび／またはアマルガム回路アセンブリの「０」基準回路節点と呼ばれるものに対して外部共通ゼロ電圧を提供する。
【００２４】
説明したとおり、個別であり、かつ／または非個別であるかにかかわらず、適正に取り付けられたアマルガムおよび／またはアマルガム回路配置は、エネルギー源、対をなすエネルギー経路、エネルギー利用負荷、およびエネルギー源に戻って回路を完成させるエネルギー経路にほぼ常に関係する、複数の別個の異なった回路に対して平行配置原則を使用してほぼ常に、減結合、フィルタリング、電圧バランシングなどの複数の異なったエネルギー調節機能を実行する同時能力の達成を助ける。これはさらに、中心に配置された共通共用電極経路を使用して同時に生み出される「０」電圧基準の両側に対して平衡した方法で電極に作用する伝搬エネルギーの部分の逆向きの相補的な電気相殺配置を含む。この能力は、エネルギー源からそれぞれの負荷へ、さらに帰還のために負荷からエネルギー源へ接続しかつ／または結合しているエネルギーインおよびエネルギーアウト経路に沿って、共通エネルギー基準（第１の複数の電極）の電気的な両側に、見かけのオープンなエネルギー・フローとして、配置が同時に現れることを可能にする。この一般にほぼ常に平行なエネルギー配分方式によって、必ずというわけではないが通常は全ての製造されたアマルガムおよび／またはアマルガム回路配置要素の材料構成が、一緒に、より効果的かつ効率的に、回路内に位置する負荷および源経路とともに動作することができる。相補的に動作することによって、従来技術に比べて材料応力はかなり低減される。したがって弾性材料記憶および／またはヒステリシス効果などの現象は最小化される。
【００２５】
アマルガムおよび／またはアマルガム回路配置は実質上、電極配置、およびアマルガムおよび／またはアマルガム回路配置のアーキテクチャの性質、生み出される物理的なエネルギー分割構造を利用するために、この新しい電極配置を後に説明する方法で利用する回路配置である。奇数個の複数の電極の外部導電性領域への導電結合および／または導電取付けは特に、さまざまな標準的な工業取付け／結合材料、およびこれらの材料を導電結合に対して使用可能にするのに使用されるはんだ付け、抵抗はめ合い、還流はんだ付け、導電性接着剤などの取付け方法を含むことができる。これらは、標準導電結合および／または結合を達成するのに使用される通常は標準的な容認されている工業材料およびプロセスである。これらのアマルガムおよび／またはアマルガム回路配置の外部エネルギー経路への導電結合および／または導電取付け技法および方法は、ほとんどの場合、追加の制約を使用者に課すことなく容易に適合させかつ／または単純に適用することができる。電極経路を一緒にまたはグループとして外部共通領域および／または経路へ導電結合することは、アマルガムおよび／またはアマルガム配置によって提供される、相互誘導相殺、相互に対向する導体の相互最小化などの他のエネルギー調節機能の最適な効果を可能にし、エンド・ユーザが必要とする受動構成部品特性を提供する。アマルガム化された複数の電極の結果として互いに導電的に結合されたときに電極配置内で生じ、遮蔽に使用される少なくとも３つの遮蔽機能がある。いくつかの機能は他の変数に従属する。
【００２６】
第１は、ＲＦＩ雑音の物理的遮蔽機能である。ＲＦＩの遮蔽は一般に、あらゆる種類の電磁場に対する古典的な「金属障壁」であり、大部分の人が考える遮蔽がこれである。アマルガムおよび／またはアマルガム回路配置で使用される１つの技法は通常、少なくとも１つの共通電極経路間に、普通は同じサイズで、製造が理想的なエネルギー調節機能を可能にするほどにサイズおよび組成が近い、その対をなす他方の相補電極経路に対してそれが通常通りに配置されたときに、対をなす相補電極経路の導電性領域のインセット（ｉｎｓｅｔｔｉｎｇ）を可能にすることによって、関連遮蔽共通電極経路を、動作中の含まれる対をなす相補電極経路に関して配置する所定の遮蔽配置法である。
【００２７】
第２の遮蔽は、対をなす電気的に対向する隣接した相補電極経路の物理的な遮蔽である。これは、相補的電極経路／電極のサイズに対する共通電極経路のサイズ、ならびに間に挟み込まれた（サンドイッチされた）［ｓａｎｄｗｉｃｈｅｄ］相補導体に起因する寄生の通電された静電的抑制および／または最小化によって、かつ含まれる相補経路以外に起因する外部寄生が、時に特に寄生結合と呼ばれる被遮蔽相補経路への結合を逆に試みることを防ぐことによって達成される。寄生結合は普通、電場（「Ｅ」）結合として知られており、この遮蔽機能は、主としてさまざまな被遮蔽電極を電場寄生から静電的に遮蔽することに相当する。相補導体経路に起因する相互および／または迷走寄生エネルギーのため干渉伝搬エネルギーの通過を伴う寄生結合は、新しい電極配置内では通常、抑制される。この電極配置は、静電および／またはファラデー遮蔽効果を提供する導電性階層の進行ならびに垂直および水平の（混合）層および所定の層位置の配置を有する汎用遮蔽構造中に逆相の導体をほぼ完全に包囲することによって容量結合をブロックする。相補電極経路に導電的に結合されていない外部共通導電性領域への結合はさらに、続いて、シャシおよび／または接地の導電経路および／または導体、例えば回路システムのエネルギー帰線、シャシ導電経路および／または導体、ならびに／あるいはＰＣＢエネルギー経路および／または導体、ならびに／あるいは接地に通常は取り付けられ、かつ／または（導電的に）結合されるというわけではない内部に配置された導電性モータ・シェルの中などの固有の共通導電性領域として一般に記述されるものなどの領域を含むことができる。内部に位置する共通電極経路セットの利用は、対をなす相補電極経路に沿って伝搬するエネルギー部分として記述され、これらのエネルギー部分は、アマルガムおよび／またはアマルガム回路アセンブリのＡＯＣによる影響を受け、相補電極経路でない少なくとも１つの外部に位置する共通導電性領域上に続いて移動し続けることができ、したがってこの非相補エネルギー経路を低インピーダンスのエネルギー経路として利用して、不必要なＥＭＩ雑音の帰還、および通電されたそれぞれの回路へのエネルギーの帰還を低下させ、抑制し、ブロックすることができる。
【００２８】
最後に、通常はエネルギー導体配置「遮蔽技法」以上の技法である第３のタイプの遮蔽がある。この遮蔽は通常は、誘導エネルギーおよび／または「Ｈ場」、ならびに／あるいは単純に「エネルギー場結合」に対して使用され、別個の対向する電極経路に沿って伝搬している「Ｈ場」の部分および／または単に「エネルギー場」のエネルギー部分の相互誘導相殺および／または最小化としても知られている。しかし、相補電極経路対を同時に使用しながら、通常できるだけ近いサイズに構築される領域サイズへの、含まれる対をなす相補電極経路のインセットを可能にする所定の配置方法でエネルギーを物理的に遮蔽することによって、相互相殺と結合する誘導「Ｈ場」結合に対して強化された静電的かつ／またはケージ様効果と呼ばれる他のタイプの遮蔽および／または「遮蔽技法」を与えることは、さまざまな伝搬エネルギー部分を含む内部に位置する回路の部分の「Ｈ場」電流ループの寸法を制御することを意味する。
【００２９】
アマルガムおよび／またはアマルガム回路配置の使用によって、アマルガムおよび／またはアマルガム回路配置内で動作するそれぞれの別個の回路が、それ自体の電圧基準として開発された共通低インピーダンス経路を同時に共用して利用することができ、一方、利用しているそれぞれの回路は、それ自体の相対的なエネルギー基準点に潜在的に維持され、平衡が保たれ、互いに同時に別々に動作している他の回路に対してより大きな回路システム内で通常、受動的に動作したときに、アマルガムおよび／またはアマルガム回路配置内に含まれる任意の回路システムに「与えられる」最小寄生寄与および／または破壊的なエネルギー寄生を維持する。電極遮蔽配置または構造は、同じ共通基準像に関してＡＯＣの部分の中に含まれる伝搬している対向する遮蔽されたエネルギーの相補的な部分のダイオードに似た高インピーダンスのエネルギー・ブロッキング機能をある１つの瞬間に備え、一方、まさしくその同じ瞬間に、瞬時の高いインピーダンスの反対の低インピーダンスのエネルギー・ボイドまたは抗ブロッキング・エネルギー機能が、共通エネルギー経路の両端間で、正反対の電磁気的な方法で、同時に、常に互いの反対側に平衡した方法で位置するエネルギーの部分に対して、電気的に調和した方法で同じ共用遮蔽配置構造の両側に沿って対応して起こっている瞬時の高−低インピーダンス・スイッチング状態で使用可能である。
【００３０】
内部に位置する共通電極経路セットは、相補電極経路でない外部に位置する同じ共通導電性領域に導電的に結合され、これによって全ての回路システムが、この非相補エネルギー経路を、低インピーダンスのエネルギー経路として、動作しているそれぞれの回路システムに対して同時に利用して、不必要なＥＭＩ雑音の帰還、および通電されたそれぞれの回路システムへのエネルギーの帰還を低下させ、抑制し、ブロックすることが可能になる。包囲している遮蔽電極構造に起因するエネルギー寄生の同時抑制、および電気的に対向する被遮蔽電極経路に起因する相互に対向するエネルギー「Ｈ」場の相殺のため、さまざまな回路経路に沿って伝搬しているエネルギーの部分は、アマルガムおよび／またはアマルガム回路配置のさまざまなＡＯＣの中で一緒になって、伝搬エネルギーに生じる、Ｈ場エネルギーおよびＥ場エネルギーの有害な効果を最小化する形態の調節効果を、説明した同時機能を通して、それぞれにスイッチしている一定の動的な同時の低および高インピーダンス・エネルギー経路の相対的に定義された領域を含み、これを維持し、分割された対をなす被遮蔽相補電極経路の潜在的な伝搬経路に沿って見られるエネルギー部分による利用に関して互いの両側に同時に位置するアマルガムおよび／またはアマルガム回路配置のさまざまなＡＯＣの中で受ける。
【００３１】
図１に、遮蔽電極８００／８００−ＩＭの一部分を示す。これは、図２Ａに最もよく示されている、所定の特性を有する材料８０１の一部を含む構造材料部分８００−Ｐ上の中央に配置された所定の共用共通遮蔽電極８００／８００−ＩＭＣを含むサンドイッチ単位８００Ｅの一部分を示している。
【００３２】
図２には、被遮蔽電極８４５ＢＡ、８４５ＢＢ、８５５ＢＡ、８５５ＢＢ、８６５ＢＡ、８６５ＢＢが一般に、第２の複数の電極の２つの電極セットのより小さなサイズの電極として示されている。この構成では、より小さなサイズの本体電極部分８０がエネルギー部分の伝搬８１３Ｂによって利用され、図１の遮蔽電極８００／８００−ＩＭおよび単一の遮蔽構造４０００（図示せず）のより大きなサイズの本体電極部分８１が、遮蔽電極の中心部分および図１に示されたＡＯＣ中央影響範囲８１３から外へ移動するエネルギー部分の伝搬８１３Ａを処理している。
【００３３】
再び図１を参照すると、中央遮蔽電極８００／８００−ＩＭを所定の方法で同時にサンドイッチする電極および／または電極経路８５５ＢＢおよび８５５ＢＴ（図示せず）がそれぞれ、中央に配置された共通遮蔽電極８００／８００−ＩＭから両方向に離されている。複数の遮蔽電極のそれぞれの遮蔽電極の本体電極部分８１が、複数の被遮蔽電極のサンドイッチされた対応する被遮蔽電極のサンドイッチ本体電極部分８０よりも大きいことに留意することが重要である。複数の被遮蔽電極は通常、バイパス電極として遮蔽されるように構成されるが、本明細書に説明し、かつ／またはしないように、通常は必要に応じて被遮蔽フィードスルー電極も構成される。
【００３４】
電極８５５ＢＡとして導電材料７９９を製造業者が配置すると、被遮蔽電極８５５ＢＡに対する遮蔽電極８００の位置に関連して、インセットされた領域８０６および／または距離８０６および／またはスペーシング領域８０６が生じる。このインセット関係は通常、２つの本体電極部分８０と８１の間のサイズの差の結果として生じる相対的なインセット・スペーシングとしたほうが分かりやすく、かつ／またはそのように定義される。本体電極部分８１は２つの本体電極部分のうちの大きいほうの本体電極部分である。この相対的なサイズは、さまざまな本体電極部分８０および８１ならびに本明細書に７９Ｇおよび／または７９「Ｘ」「Ｘ」と示されたそれらのそれぞれの連続した電極部分延長の配置にも関連する。これらは全て、導電材料７９９および／または７９９「Ｘ」の順次積層の製造プロセスの間に配置され、このプロセスによって、８０３で示されたそれぞれの電極本体部分８０の電極周縁と８０５で示されたより大きなそれぞれの電極本体部分８１の電極周縁との間に見られるインセット関係および／または外観が形成され、かつ／または結果的に生じる。
【００３５】
それぞれの電極の全ての電極本体部分８０ｓのサイズおよび／または全ての電極本体部分８１ｓのサイズは、一般的な任意のアマルガムおよび／またはアマルガム配置内で全て（製作公差が許す）同じ形状とすることができ（または他のサブ回路配置電極セットに対して個々のサブ回路配置ごとに形状を混合することができ）、インセット配置関係はオプションとすることができることに常に留意されたい。
【００３６】
しかし、寄生エネルギー部分の高い抑制および／またはさまざまな寄生エネルギー部分の遮蔽を享受するためには、電極本体部分８１を含むより大きなサイズの本体遮蔽電極８１ｓに電極本体部分８０を含む相補的な電極をインセットして、この寄生エネルギー部分抑制機能を達成しなければならない。さらに、相補電極のインセットによるこの閉じ込めは、２つのより大きな電極のうちの少なくとも一方の所定の電極本体部分８０ｓへの所定の電極本体部分８０ｓのインセットを使用しない配置を利用している構成に比べ、エネルギーの動的遮蔽に対する遮蔽電極構造のこの大きくかつ全体的な有効性を強化する。
【００３７】
インセット距離８０６は、少なくともゼロよりも大きいことが分かっている距離乗数（ｄｉｓｔａｎｃｅ  ｍｕｌｔｉｐｌｉｅｒ）と定義することができ、このインセット距離は、電極本体部分８０と、隣接する電極配置を構成する電極の電極本体部分８１との間の離隔距離関係の乗数に関連する。一実施形態内の２つの隣接する一般的な電極本体部分８０ｓと電極本体部分８１の間を分離しかつ／または分離を維持することが分かっている所定の特性を有する材料８０１の離隔厚さの乗数も決定因子となりうる。例えば、８５５ＢＢの電極本体部分８０は通常、電極８５５ＢＢの電極本体部分８０と図１の隣接する中央共面電極８００−ＩＭの本体部分８１との間を分離しかつ／または分離を維持することが分かっている所定の特性を有する材料８０１の距離および／または厚さの１から２０＋倍（２０倍以上）とする。
【００３８】
内部電極は、７９「ＸＺ」で示された少なくとも１つの第１のリードまたは延長部分を有する本体電極８０を含む。使用される伝搬に応じて「Ｘ」＝「Ｂ」（バイパス）または「Ｆ」（フィードスルー）であり、「Ｚ」＝電極「Ａ」または「Ｂ」の延長であり、最後に、本体電極ごとに２つ以上の延長部分がある場合には必要に応じて「＃」＝その番号である。例えば、図１では、電極８５５ＢＡの延長として７９ＢＡが使用されている。この配置では電極８５５ＢＡおよび８５５ＢＢ（図示せず）の第１および第２のリードまたは延長部分が、他方とは相補的に反対に配置されるので、少なくとも１つの第１のリードまたは延長部分を有する図示されていない８５５ＢＡの相補本体電極８０は同様に７９ＢＢと示される。
【００３９】
出願人はさらに、任意のアレイ構成の複数の共面配置された電極の８０で示されたさまざまな電極本体部分間でも許されるであろうさまざまなサイズ差を企図することに留意されたい。図示されてはいないが、所定の特性を有する材料８０１の部分および／または層は、共面配置された追加の電極層を含むことができる。さまざまな同じ複数の電極のメンバの共通導電結合を容易にするそれぞれの複数の電極のそれぞれの外側電極部分および／または電極材料部分８９０Ａ、８９０Ｂおよび／または８９０「Ｘ」、７９８−１、７９８−２および／または７９８−「Ｘ」（いずれも図示されていない）はさらに、それぞれの複数の電極と任意の外部導電性部分（図示せず）、エネルギー経路（いずれも図示されていない）との後の導電性結合を容易にすることができる。
【００４０】
それぞれの電極本体部分８０および／または８１から連続した電極延長部分に注目すると、電極本体部分８０ｓは通常、間隔をあけて配置されるが、所定の距離を物理的にインセットしてインセットされた領域８０６を生み出す。電極本体部分８０は通常、（隣接する本体遮蔽電極８１ｓに比べて）サイズが小さく、２つの遮蔽電極の少なくとも２つの離隔しているが、より大きな電極本体部分８１ｓのカバー領域内に重ねられる。唯一の例外は、それから連続的かつ一体的に別々の電極本体部分８０以外の点へのその後の導電結合にそれぞれ使用可能な、例えば図１の７９ＢＡのような電極延長部分である（もしある場合）。
【００４１】
７９「ＸＸ」リード電極および／または延長部分を非一体的かつ／または連続的に同時に配置しかつ／または処理する可能性がある同じ製造プロセスは、新しい電極配置のある種の変形の製造で後に７９「ＸＸ」（図示せず）を非常に良好に適用することができることに留意されたい。延長部分を後に適用するこのタイプは通常許されるが、電極本体部分８０と不連続の／一体的に生み出された７９「ＸＸ」部分とを利用するエネルギー動作は、実質的に動作可能であると考えられる条件をほぼ可能にすると思われる方法で導電的に結合される必要が依然としてあると理解される。
【００４２】
電極配置の実質的に全てのバージョンで、本体電極は通常、通常一般的な１つの領域サイズとすることができるそれぞれの電極要素の電極本体部分８０および／または８ｌを形成するために周囲まで成形された２つの大きな表面領域によって画定することができる。これらの電極本体部分領域８０および／または８１は、連続的に結合された７９Ｇおよび／または７９「ＸＸ」リード電極および／または電極延長部分と考えられる電極部分を含まない。
【００４３】
通常、一般的な被遮蔽電極および／または遮蔽電極の電極本体部分８０および／または８１が終わり、７９Ｇおよび／または７９「ＸＸ」延長電極部分が始まる正確な点を決定する正確な方法はなく、通常、延長を画定するためには、一般的な被遮蔽電極の電極本体部分８０は、電極配置実施形態内に見られる被遮蔽電極グループを遮蔽するために共通電極メンバの１つよりも大きな任意の奇数とすることができる所定の数の電極本体部分８１ｓの重ねられた共通配置から共通遮蔽電極周縁８０５を形成する、複数の遮蔽電極のうちの隣接する遮蔽電極の遮蔽電極縁８０５の共通周囲および／または平均共通周囲の間および／または内部に見られる所定の距離および／または所定の距離８０６の平均を生み出すために実質的に配置された領域であると考えられると言ってさしつかえない。したがってこれは、少なくとも２つの被遮蔽電極の電極本体部分８０に対して、電極配置内で対にされた相補的な電極を遮蔽するために少なくとも３つの遮蔽電極を含むことである。同じ導電材料７９９が電極配置の全ての電極を構成することができ、したがって、電極配置は、所定の方法で配置された所定の異種の電極材料を有することができるが、同種の電極材料７９９でも同様に十分である。
【００４４】
最低限、少なくとも２群の複数の電極が常にあり、第１の複数の電極は、それぞれの電極が互いに実質的に同じサイズおよび形状である。第１の複数の電極のこれらの電極はさらに互いに導電的に結合され、位置を合わせて互いに平行に重ねられる。これらの共通電極はさらに、接地の水平面に対する重ねられた電極グループの回転軸にかかわらず第１の複数の電極のスタックまたはスタッキングとも呼ばれる重ねられた遮蔽配置の中に第２の複数の電極のさまざまなメンバを、互いに対する対応する相対関係に配置することを容易にするために互いから離隔されている。この配置または重ねられたスタッキングはさらに、所定の特性を有する材料の少なくとも部分を含む。最小構成の重ねられた第１の複数の電極の総数は常に１よりも大きな奇数である。
【００４５】
これらの電極はさらに、共通電極グループのそれぞれの電極の少なくとも１つの縁に沿って共通導電結合を提供する少なくとも１つの連続した導電材料部分によって互いに導電的に結合することができ、これによって、これらの複数の電極を、接地されていない単一の共通導電構造、接地されていない遮蔽導電ケージまたは接地されていないファラデー・ケージとみなすことができ、またはこれらの複数の電極がこれらの構造またはケージとして機能することができるようになる。明らかに、この構造を外部電位に導電的に結合すると接地の状態が生み出されるだろう。
【００４６】
第２の複数の電極の電極は、第２の複数の電極の２つの電極グループまたは電極セットを構成する。これらは第１の電極セットとして電極数の半分に分割され、次いで、対応して相補電極対として互いに対をなした残りの電極セットに対してそれぞれ相補的と考えられる（これらのセットはさらに、下記の説明に基づく複数の電極として特徴づけることができることに留意されたい）。
【００４７】
共面配置である場合、全ては互いに離隔されており、第１の電極セットは１つの共面層上にあり、第２の電極セットは対応して第２の共面電極層上にある。第２の複数の電極の総数は常に偶数である。特定の相補電極対のそれぞれの電極は、実質的に同じサイズおよび同じ形状であるのに対して、やはり互いに離隔した実質的に同じサイズおよび同じ形状の第２の相補電極対は、図３Ａおよび４Ａに示すように、第１の相補電極対のメンバのように個別に実質的に同じサイズおよび同じ形状である必要は必ずしもない。
【００４８】
任意のアマルガム中の全体電極配置の一部として、第１の（遮蔽）電極対と第２の（被遮蔽）電極対はサイズおよび形状関係の独立性を維持することに留意されたい。第２の複数の電極の第１の電極対と第２の電極対が、全て実質的に同じサイズおよび同じ形状の電極を含むことができるが、これは必要条件ではない。ただ、一対の特定の電極としてこれらの相補電極対は「個別に」、対をなす特定の電極間に相補関係が生み出されるよう、互いに同じサイズおよび同じ形状の２つの電極として維持される必要がある。
【００４９】
他の例では、第２の電極対を第１の電極対と同じサイズとすることができるが、依然として第２の電極対の形状を第１の電極対とは異なる形状とすることができる。この場合も逆もまた真である。少なくとも２つの電極対の他に追加された他の電極対も、新しい全体電極配置アマルガムの一部として、最初の２つの電極対のサイズおよび形状からのサイズおよび形状の独立性を維持するであろう。
【００５０】
始めに述べておくが、下記の実施形態の開示は可能な電極の組合せのうちの少数の組合せを提供する。これらはそれぞれ、示した特定の実施形態に対応するが、開示の主要な目的に対しては普遍的である。開示の主な目的は、少なくとも２つの電気的に分離された独立した回路システムが、１つの定義された個別または非個別電極配置アマルガムを相互にかつ動的に利用することを内部的に可能にするために組み合わされた他の要素を含む、遮蔽／被遮蔽電極配置を提供することにある。
【００５１】
したがって、アマルガムおよび／またはアマルガム回路配置によって利用されるものなどの受動アーキテクチャを構築して、エネルギー・システムで見られるさまざまなタイプのエネルギー場（ｈ場およびｅ場）を調節しかつ／または最小化することができる。アマルガムおよび／またはアマルガム回路配置は通常、１つのタイプのエネルギー場を他のエネルギー場以上に調節するように構築する必要は必ずしもないが、さまざまなタイプの材料を追加しかつ／またはさまざまな電極セットと組み合わせて使用して、１つのエネルギー場に対するこのような特定の調節を他のエネルギー場に対するもの以上に実施することができる実施形態を構築することが企図される。さまざまな厚さの誘電材料および／または媒質ならびに間に配置された遮蔽電極構造は、回路アーキテクチャとの動的な近距離関係が、エネルギーを伝搬する導電性領域および互いの間の関連する不導電性または半導電性距離（相補エネルギー経路）を利用することを可能にする。
【００５２】
この目的は、関連した所定の要素の分割およびサイジング、ならびに、さらにこれらの少なくとも２つの電気的に分離された独立した回路システムが、複数の遮蔽電極の導電結合が拡大され、共通基準節点０００を有する少なくとも１つの最小アマルガム回路配置の一部として、図２Ｃに示すように、（００７のような）この外側導電性領域に一体化される前に、一つには所与のアマルガムの遮蔽部分によって、アマルガムＡＯＣ８１３を越えて配置された導電性部分の共通電圧電位との導電性組合せで提供された１つの共通回路基準電位または節点を相互にかつ動的に同時に利用することを可能にするために結合された要素の離隔および位置関係を用いた選択的に配置された所定の要素のグルーピングを伴う。
【００５３】
本明細書に示したアマルガム構成は、それぞれ実施形態６０００、８０００および１００００を含む図２Ａ、図３Ａおよび図４Ａを含む。これらの実施形態には、この開示の中で定義することができる少なくとも３つの多回路アマルガム配置、すなわちストレート垂直多回路配置、ストレート水平多回路配置、および垂直／水平多回路配置のハイブリッドがあり、それぞれがそれ自体の一体化された構成をとる。一般に、アマルガムは、内部に配置された少なくとも２つの回路部分を含み、これら（内部に配置されたそれぞれの回路部分）はともに、一方が他方の部分であるのではなく、より大きな１つの回路システムの部分であると考えられる。
【００５４】
それぞれの回路部分は、第１および第２のエネルギー経路の部分を含むことができ、これらはそれぞれ、ある点で、ＡＯＣの中のアマルガム自体の部分と考えることができる。分離されたそれぞれの回路システムのこれらの第１および第２のエネルギー経路、それぞれのエネルギー経路の第１および第２の外部部分は、相補的な電気動作のために回路システムの一部として他方に対して配置されたエネルギー源およびエネルギー利用負荷部分のエネルギー経路として存在する。内部に配置されたそれぞれの回路部分は、アマルガムのＡＯＣの中にある内部回路部分の対応するそれぞれの所定の部分で、（アマルガムの外部にある）第１および第２のエネルギー経路部分に結合される。
【００５５】
所定の位置で実施されるアマルガムの部分との導電結合は、材料を用いた所定の導電結合プロセスまたは方法、あるいははんだ、抵抗はめ合いなどの電気結合分野で使用される所定の物理的な結合技法および所定の材料によって実施することができる。これらの内部回路部分は、電極経路または先に説明した相補エネルギー経路と考えることができる。一般に、先に説明した内部回路部分は遮蔽電極を含まず、これらの遮蔽エネルギー経路は、通常は所定の特性８０１を有する材料を含む部分によって、配置の中の少なくとも１つの離隔された．．．による方向性電気結合から絶縁されまたは分離される。
【００５６】
それぞれ少なくとも２つの回路部分を有する第１および第２の回路システム（例えば図２ＣのＣ１／Ｃ２）はそれぞれさらに、少なくとも１つのエネルギー源、エネルギー利用負荷、少なくとも１つの第１のエネルギー経路、少なくとも１つの第２のエネルギー経路を含む。それぞれの回路システムは一般に、エネルギー源の供給側と考えることができるエネルギー源の第１の側から続く第１のエネルギー経路から出発し、第１のエネルギー経路は続いて、エネルギー利用負荷のエネルギー入力側と考えられるエネルギー利用負荷の第１の側に結合される。
【００５７】
さらに、エネルギー源の点およびエネルギー利用負荷に実施された結合は、第１のエネルギー経路に対して、この位置が、やはりエネルギー利用負荷とエネルギー源の間にエネルギー源への帰還エネルギー経路として物理的に結合された第２の第１のエネルギー経路の配置から第１のエネルギー経路を導電的に電気的に分離することをコールアウトする（ｃａｌｌ  ｏｕｔ）確定的な考慮事項であることが認められる。したがって、（エネルギーの部分が使用または作業のために負荷によって変換された後の）エネルギー利用負荷のリターンアウト側と考えられるエネルギー源の第２の側を出た少なくとも１つの第２のエネルギー経路は、エネルギー源のエネルギー・リターンイン側と考えられるエネルギー利用負荷の第２の側に結合される。
【００５８】
コールアウトされた３つの多回路アマルガム配置の１つの顕著な差は、垂直多回路アマルガム配置が、実施される電気動作の他の回路システム部分に対して必ずしも反対または相補的であるというわけではない関係に、むしろアマルガムの中で起こる２つの回路システム間の「ヌル（ｎｕｌｌ）」相互作用を可能にする配置に向けられて回路部分が他方の上に重ねられ、またはスタックされた配置を含むことであり、一方、両方の電気回路システムは、互いに導電的に結合され、任意の１つのそれぞれの回路システムの別の外部導電性部分に導電的に結合された第１の複数の電極の電極から成る「接地」された遮蔽構造によって容易にされた基準電源を共用している。
【００５９】
いくつかのケースでは、相補エネルギー経路の１つの部分への結合がある使用者に対して望ましい可能性があることが企図され、そのため、一方の回路システムを、分離された遮蔽電極構造の導電結合を有する他方のシステムよりも優遇するこの配置が出願人によって完全に企図される。しかし、回路システムは、複数間のスタックされまたは隣接するこのような配置を明らかにする少なくともそれぞれの配置に関して互いに他方に対してスタックされて動作可能であるので、遮蔽構造の分離が維持されるとき、含まれる回路システムの非相補エネルギー経路への結合を用いて生み出される最小インピーダンス経路は、少なくとも２つの分離された回路システムのエネルギーに共通する低インピーダンス導電性経路を動的に生み出す。
【００６０】
次に、図２Ａ〜２Ｂのアマルガムの一実施形態６０００を参照する。アマルガム６０００は、先に論じた材料８０１の層の上に形成された個々の電極層を示す図２Ａの分解図に示されている。図２Ａのアマルガム化された所定の遮蔽電極構造は、８３５、８２５、８１５、８００／８００−ＩＭ、８１０、８２０、８３０および８４０で示されたサイズの等しい奇数個の遮蔽電極、ならびに後に開示する−ＩＭＩ「Ｘ」および／または−ＩＭＯ「Ｘ」で示された画像平面遮蔽電極用のオプションの任意の遮蔽電極（図示せず）を含む所定の遮蔽電極配置である。
【００６１】
アマルガム６０００は少なくとも、８３５、８２５、８１５、８００／８００−ＩＭ、８１０、８２０、８３０および８４０で示された実質的に同じ形状、同じサイズの第１の複数の電極、ならびに８４５ＢＡ、８４５ＢＢ、８５５ＢＡ、８５５ＢＢ、８６５ＢＡおよび８６５ＢＢで示された実質的に同じ形状、同じサイズの第２の複数の電極を含み、これらは、第１の複数の電極および第２の複数の電極を含むためにやはりセットとして集められた均一にグループ化された可能な任意の数の電極をアマルガムに提供する可能な組合せのために、元々の２群の複数の電極のさまざまな下位構成で組み合わされる。
【００６２】
アマルガム６０００は、後に図２Ｃに示すようにそれぞれ他方に対して電気的にヌルの方法で相互に動的に利用しあう少なくとも２つの電気的に分離された独立した回路システム（Ｃ１−Ｃ２）の２つの９０度方向の４つの経路００３Ａ、００３Ｂ、００４Ａおよび００４Ｂに結合することができる。
【００６３】
アマルガムの可能な複数の構成または組合せの第１の組合せは、第１の複数の電極を含み、さらに、少なくとも２つまたは４つの方向に分割され、８５５ＢＡ、８５５ＢＢ、８６５ＢＡおよび８６５ＢＢのうちの少なくとも１つの電極を含む構成を含み、そのそれぞれの延長７９「ＸＸ」が、ちょうど９時、１２時、３時および６時の場合の時計の針のように、４つの可能な９０度方向のうちの少なくとも１つと向き合った、第２の複数の電極を含む組合せである。
【００６４】
アマルガムの可能な複数の構成または組合せの第２の組合せは、第１の複数の電極および第２の複数の電極を含み、相補対のグループとして分割された第２の複数の電極をさらに含み、伝搬エネルギーの通電方向が、他方から１８０度である少なくとも１対の時計位置を向き、自体の「ロック」された対合方向が互いに対して、「ヌル」（この場合は９０度）に配置されたちょうど９時＋３時の場合、または１２時＋６時セットの場合の時計の針のように本明細書にやはり示された可能な２つの「ヌル」または９０度方向の一方を向く組合せである。
【００６５】
アマルガムの可能な複数の構成または組合せの第３の組合せは、第１の複数の電極および第２の複数の電極を含み、少なくとも２つの電極セットに分割された第２の複数の電極をさらに含む組合せである。第１の電極セットはさらに、相補電極８４５ＢＡ、８４５ＢＢおよび相補電極８６５ＢＡ、８６５ＢＢを含む対をなす相補電極のグループを含む。少なくとも２つの電極セットのうちの第２の電極セットは、対をなす相補電極８４５ＢＡおよび８４５ＢＢを含む。後に図２Ｃに示すように、第２の複数の電極の第１の電極セットは、アマルガムを利用する相補部分を有する可能な複数の回路の第１の回路の部分を含み、第２の複数の電極の第２の電極セットは、アマルガムを利用する相補部分を有する可能な複数の回路の第２の回路の部分を含む。
【００６６】
アマルガムを構成する第１の複数の電極および第２の複数の電極はさらに、複数の遮蔽電極および複数の被遮蔽電極に分類することができる。８３５、８２５、８１５、８００／８００−ＩＭ、８１０、８２０、８３０および８４０で示された第１の複数の電極または複数の遮蔽電極にはさらにＧＮＤＧという呼称が与えられ、互いに導電的に結合されたときに共通遮蔽構造（符号なし）を提供し、６０００アマルガムに関する７９Ｇ−「ｘ」電極延長方向という識別子、８４５ＢＡ、８４５ＢＢ、８５５ＢＡ、８５５ＢＢ、８６５ＢＡおよび８６５ＢＢで示された第２の複数の電極、ならびに先に論じたそれらのそれぞれの７９「ＸＸ」電極延長の位置および方向。
【００６７】
この複数のＧＮＤＧ電極は遮蔽電極として動作可能であり、互いに導電的に結合されて単一の遮蔽手段として機能し、複数のＧＮＤＧ電極がグループまたは構造として、外部に配置された共通導電性領域または経路００７に導電的に結合されたときに複数の回路システム（この場合にはＣ１およびＣ２）に最小インピーダンス経路を提供する。
【００６８】
最小構成６０００における第１の主要な複数の電極と第２の主要な複数の電極との組合せの他の組合せは、８３５、８２５、８１５、８００／８００−Ｍ、８１０、８２０、８３０および８４０で示された遮蔽電極として機能する第１の複数の電極の中に差し込まれた少なくとも第１、第２および第３の複数の電極を含むアマルガムとして第１の複数の電極と単に連結する、後に説明するように第２の複数の電極および第３の複数の電極に均一に分割された第２の主要な複数の電極を有する。第１の複数の電極のそれぞれの電極は一般にＧＮＤＧと呼ばれる。これは、第１の複数の電極のかなめの８「ＸＸ」／８００−ＩＭＣ中央電極として働くように機能がシフトすることができる第１の複数の電極の任意の電極の能力を示すために実施され、示された一般的な電極８１０ＧＮＤＧとしてのアマルガムが、図２Ｃの共通基準節点００００を有する多回路配置の最小アマルガム（互いに対してヌルの方向に向けられた電極対として実施形態６０００の２つの対８４５ＢＡ、８４５ＢＢおよび８５５ＢＡ、８５５ＢＢだけが配置されたアマルガム。この場合、ヌルは９０度）の中央遮蔽電極８１０／８００−ＩＭ−Ｃとなる。
【００６９】
図２Ａおよび図２Ｂを続けて参照する。この電極配列では、第２および第３の複数の電極のそれぞれの電極が、第１の複数の電極の少なくとも２つの電極ＧＮＤＧ間にスタックされる。さらに、第２および第３の複数の電極の対をなすそれぞれの電極は、その電極対が、第１の複数の電極の少なくとも１つの電極ＧＮＤＧをサンドイッチするように配置される。
【００７０】
したがって、アマルガム６０００の最小電極配列は．．．。対をなす第２の複数の電極の第１の電極８４５ＢＡは、第１の電極ＧＮＤＧの上、第２の電極ＧＮＤＧの下にスタックされる。対をなす第２の複数の電極の第２の電極８４５ＢＢは、第２の電極ＧＮＤＧの上、第３の電極ＧＮＤＧの下にスタックされる。対をなす第３の複数の電極の第１の電極８５５ＢＡは、第３の電極ＧＮＤＧの上、第４の電極ＧＮＤＧの下にスタックされる。対をなす第３の複数の電極の第２の電極８５５ＢＢは、第４の電極ＧＮＤＧの上、第５の電極ＧＮＤＧの下にスタックされる。この最小配列では、第２および第３の複数の電極のそれぞれの電極が互いに導電的に分離され、さらに第１の複数の電極ＧＮＤＧからも導電的に分離されている。
【００７１】
図１に示したように、図２Ａでは電極８５５ＢＡが、電極８００／８００−ＩＭと８１０とによって同時にサンドイッチされた本体電極部分８０を有する。遮蔽本体電極部分８１ｓは実質的に同じサイズおよび形状であり、同時に、電極８５５ＢＡは、他方に対して同じ遮蔽機能領域を受け取るその本体電極部分８０のそれぞれの大きな領域側を有しているので、その本体電極部分８０の電極縁８０３は、ともに第１の複数の電極の共通に結合された遮蔽電極８００／８００−ＩＭおよび８１０の電極縁８０５ｓを有する、重ねられ、位置合わせされた２つの遮蔽本体電極部分８１ｓのサンドイッチしている周囲によって確立された境界「ＤＭＺ」または領域８０６の中に維持される。
【００７２】
次に図２Ｂを参照すると、組み立てられた状態のアマルガム６０００が示されている。調節器本体の周囲には外部電極バンドが配置されている。共通遮蔽電極ＧＮＤＧは、複数の外部電極７９８−１〜４に導電的に結合された複数の端子電極部分７９Ｇ−１（図２Ａに示されている）を含む。先に論じた最小電極配列では、対をなす第２の複数の電極の第１の電極８４５ＢＡが、外部電極８９１ＢＡに導電的に結合された端子電極部分７９ＢＡ（図２Ａに示されている）を含み、対をなす第３の複数の電極の第２の電極８４５ＢＢが、外部電極８９１ＢＢに導電的に結合された端子電極部分７９ＢＢ（図２Ａに示されている）を含む。対をなす第２の複数の電極の第１の電極８５５ＢＡが、外部電極８９０ＢＡに導電的に結合された端子電極部分７９ＢＡ（図２Ａに示されている）を含み、対をなす第３の複数の電極の第２の電極８５５ＢＢが、外部電極８９０ＢＢに導電的に結合された端子電極部分７９ＢＢ（図２Ａに示されている）を含む。対応する対をなす電極の端子電極部分および外部電極は互いから１８０度の角度に配置され、エネルギーの相殺を可能にすることに留意されたい。
【００７３】
取り付けられた一方または両方の回路が使用できる静電容量を増大させるため、追加の電極対をアマルガム６０００に追加する。再び図２Ａを参照する。追加の電極対８６５ＢＡ、８６５ＢＢを、第２の複数の電極の第１の電極対と方向が一致したスタック配列として追加する。対をなす第２の複数の電極の第１の追加の電極８６５ＢＡを、第５の電極ＧＮＤＧの上、第６の電極ＧＮＤＧの下にスタックする。対をなす第３の複数の電極の第２の追加の電極８６５ＢＢを、第４の電極ＧＮＤＧの上、第５の電極ＧＮＤＧの下にスタックする。第１の追加の電極８６５ＢＡを、外部電極８９１ＢＡへの共通導電性結合を介して第２の複数の電極の第１の電極８４５ＢＡに導電的に結合する。第２の追加の電極８６５ＢＢを、外部電極８９１ＢＢへの共通導電性結合を介して第３の複数の電極の第２の電極８４５ＢＡに導電的に結合する。追加の電極対は、第２の電極対８５５ＢＡ、８５５ＢＢに隣接して配置する代わりに、第１の電極対８４５ＢＡ、８４５ＢＢに隣接して配置することもできることに留意されたい。図示されてはいないが、より多くの追加の対をなす電極および電極ＧＮＤＧを追加することによって、結合された一方または両方の回路が使用できる静電容量をさらに増大させることができる。
【００７４】
図２Ｃは多回路図である。この図は、多回路配置の本発明のアマルガムを図示の構成に限定しようとするもではなく、多回路動作における本発明のアマルガムの汎用性、有用性を示すことを意図したものである。
【００７５】
共通基準節点００００を有する多回路配置の最小アマルガム（互いに対してヌルの方向に向けられた電極対として実施形態６０００の２つの対８４５ＢＡ、８４５ＢＢおよび８５５ＢＡ、８５５ＢＢだけが配置されたアマルガム。この場合、ヌルは９０度）は、（Ｃ１の回路システム全体の相補部分、および図２Ａに示した電極８４５ＢＡ、８４５ＢＢから成る相補電極グループの対応する反転鏡像の対配置）を含むことができる、１つの回路Ｃ１の遮蔽されたエネルギーを対向させる第１の手段、および（Ｃ２の回路システム全体の相補部分、および図２Ａに示した電極８５５ＢＡ、８５５ＢＢから成る相補電極グループの対応する反転鏡像の対配置）を含むことができる、別の回路Ｃ２の遮蔽されたエネルギーを対向させる第２の手段を含むことができ、これらの第１および第２の手段は、（少なくとも８３０、８２０、８１０、８００および８１５を含み、例えば電極８１０が図２Ａの８１０／８００−ＩＭ−Ｃとなる互いに導電的に結合された実質的に同じ形状および同じサイズの少なくとも複数の遮蔽電極である）少なくとも１つの遮蔽手段によって、Ｃ１およびＣ２のそれぞれの回路部分の相補電極グループの対応する反転鏡像の対配置のメンバとして個別に遮蔽された要素を有し、遮蔽手段（上記複数の遮蔽電極）はさらに、遮蔽されたエネルギーを対向させる（上記）第１の手段、および遮蔽されたエネルギーを対向させる（上記）第２の手段を互いから遮蔽する。つまり、Ｃ１およびＣ２のそれぞれの回路部分はそれぞれ、少なくとも２つのそれぞれの回路部分として、（上で説明した）回路部分の遮蔽手段によって（上で説明したように）他方から遮蔽される。
【００７６】
詳細には図２Ｃの多回路図はさらに、上で説明した小さな部分だけでなく、それぞれ少なくとも源００１、００２および負荷Ｌ１、Ｌ２を有する分離された２つの回路システムＣｌおよびＣ２を有する．．．に結合された図２Ａに示した３対から成る完全な実施形態６０００を有するであろう多回路実施形態００００の全体を含む。Ｃ１およびＣ２はそれぞれ、アマルガム６０００内の自体のある相補部分に寄与し、サンドイッチされ、複数の遮蔽電極のメンバ間で互いに導電的に分離されている。８４５ＢＡ、８４５ＢＢ、８５５ＢＡ、８５５ＢＢおよび８６５ＢＡ、８６５ＢＢから成る内部に配置されたそれぞれの回路部分対はそれぞれ、対応する第１の電極または第２の電極結合部分８９１ＢＡおよび８９１ＢＢのところで結合される。分離された回路システムＣ１は、エネルギー源００１とエネルギー利用負荷Ｌ１の両方に対して存在し、相補電気動作のために、結合ＳＬＳ１Ａ（源から負荷側１Ａまで）、ＳＬＳ１ＢおよびＬＳＳ１Ａ、ＬＳＳ１Ｂ（負荷から源側１Ｂまで）のところで回路システムＣ１の一部として他方に対して配置されたそれぞれの相補エネルギー経路のＳ−Ｌ−Ｃ１外部経路部分およびＬ−Ｓ−Ｃ１外部経路部分に結合される。分離された回路システムＣ１はそれぞれ、当技術分野で周知の標準的な結合接続手段（例えばはんだ結合など）である回路部分導電結合Ｃ１−８９１ＢＡおよびＣ１−８９１ＢＢによって電極結合部分８９１ＢＡおよび８９１ＢＢに結合される。Ｃ１−８９１ＢＢは、Ｓ−Ｌ−Ｃ１外部経路に対して、ＳＬＳ１Ａ、Ｃ１−８９１ＢＢおよびＳＬＳ１Ｂでの結合を含む外部エネルギー経路グループとの結合によって実施され、源００１および負荷Ｌ１の電気的に反対の側で外部エネルギー経路グループに結合している。
【００７７】
Ｃ１−８９１ＢＡは、上で述べたＳ−Ｌ−Ｃ１外部経路の相補外部経路Ｌ−Ｓ−Ｃ１に対して、Ｃ１−８９１ＢＡによる第２の電極結合部分８９１ＢＡによる結合、負荷のＬＳＳ１Ａでの、アマルガムの８９１ＢＡおよび源の帰入力（ｓｏｕｒｃｅ  ｒｅｔｕｒｎ）で結合されたＬＳＳ１Ｂへの結合を含む外部エネルギー経路グループとの結合によって実施される。それぞれの結合は、源１および負荷１の対応するそれぞれの所定の部分を、源１および負荷１の対応するそれぞれの所定の部分の適当な反対側に対して実施した。
【００７８】
表示Ｃ「Ｘ」の１を２に替え、電極結合部分の８９１ＢＡおよび８９１ＢＢをそれぞれ８９０ＢＡおよび８９０ＢＢに替えるだけで、回路２すなわちＣ２は同じである。
【００７９】
最後に、７９Ｇ−１ないし７９Ｇ−４は、互いに導電的に結合され、さらに例えば必ずしもそれぞれの回路システムＣ１またはＣ２のではない別の外部導電性部分に導電的に結合された第１の複数の電極の電極から成る「接地」された遮蔽構造によって平等に容易にされた電圧基準節点または共通基準節点（ＣＮＲ）を提供している導電性部分００７に導電的に共通に結合される。さらに、１つの回路の遮蔽されたエネルギーを対向させる少なくとも１つの第１の手段と、他の回路の遮蔽されたエネルギーを対向させる少なくとも１つの第２の手段とを備え、遮蔽されたエネルギーを対向させる第１および第２の手段を、個別におよび互いにそれぞれ遮蔽するための手段を有する共通基準節点を有する多回路配置として説明した最小配置の４つの相補電極の第１の２つの最小グループの２連動作中に、少なくとも２つの容量網セットが、Ｃ１およびＣ２によって個別にそれぞれに生み出され、これは、図２Ａに示した同じアマルガム内のユニットＸ２Ｙ−１およびユニットＸ２Ｙ−２としてそれぞれ一体化された、少なくとも１つのライン・ツー・ライン・コンデンサ、および２つのライン・ツー・レファレンス・ラインまたは「接地」コンデンサを含むことに留意されたい。これらは全て相互に共用されたものの結果である（基準線は、先に述べたように、アマルガム化され分離された２つの回路配置およびそれらのそれぞれの部分の通電の結果、Ｃ１とＣ２によって相互に共用された共通導電性領域００７、接地または基準電位００７である）。
【００８０】
図２Ａは、物理的に少なくとも９０度の位相外れおよびＣ１とＣ２の間の電気動作で動作可能なヌル配置位置を示しているが、それは、Ｃ１とＣ２の間で互いに対して物理的および電気的にヌル状態であると考えられる。
【００８１】
この特定の構成では、図２Ａが、Ｃ１およびＣ２が他方に対して互いに等しい９０度の物理角度にあるが、普通なら互いに有害な影響を有するであろうそれぞれのｈ場束放射に対してヌル干渉が使用可能であると考えることを可能にする他の任意の方向位置も、出願人によって十分に企図される。例えば、例えば物理的に９０度ずれた２つの回路を他方から垂直に間隔を置いて配置し、同じヌル効果機能を効果的に達成する垂直距離分離でこれらの回路を配置することによって。追加の−ＩＭＩ−「ｘ」遮蔽電極を有する追加された８０１材料はこれを実施できる材料である。
【００８２】
したがって、少なくとも２つの分離された回路部分対に対するヌル位置は、ヌル関係、ならびに新しいアマルガムの中で見られるそれぞれの分離された回路部分対の少なくとも２つの方向場束位置間の相対効果または干渉のその程度を決定するための第１の位置および第２の位置を展開する８「ＸＸ」／−ＩＭＣ中央遮蔽電極に対する関連中央点からの少なくとも２つまたは３つの位置決め軸について１度から１８０度とすることができる。したがって、８「ＸＸ」／−ＩＭＣ中央遮蔽電極に対する関連中央点からの少なくとも２つまたは３つの位置決め軸について、通電されたときに、アマルガム配置は、それぞれの一対の分離された回路システム部分に沿って互いに相互作用するエネルギー場（もしある場合）に対して部分的または完全な「ヌル効果」の発生を可能にする。したがって、ほぼ任意の相補バイパスおよび／またはフィードスルー電極経路が、アマルガムおよび／またはアマルガム回路配置内で動作することができる。一緒にＡＯＣ、「対をなす電気的に対向する」．．．で、相補バイパスおよび／またはフィードスルー電極対として、アマルガムの介在遮蔽電極経路の配置に対して互いから少なくとも１度から３５９度離れた物理方向のどこかにある方法で。
【００８３】
この最小構成の第１の複数の電極はさらに互いに導電的に結合され、第１の複数の電極の最低５つのメンバが共通に結合され、物理的な遮蔽を受け取る電極またはエネルギー経路の少なくとも２つの対向する領域のそれぞれの側にそれぞれのサンドイッチ電極の実質的に同じ量の遮蔽領域を提供する単一の実質的に均一な遮蔽構造となり、またはこのような遮蔽構造として機能する。したがって、エネルギー回路１（Ｃｌ）のエネルギー経路８４５ＢＡ、８８６５ＢＡはそれぞれ、８４５ＢＢ、８６５ＢＢと相補的に対をなし、エネルギー回路２（Ｃ２）は、互いにヌルの相補電極８５５ＡＢおよび８５５ＢＢとともに、２つの複数の分離された回路として同時に動作する。互いに導電的に結合されて、グループ化され互いに導電的に結合されたケージに似た遮蔽構造として機能する、第１の複数の電極のこれらの７つのメンバ８３０、８２０、８１０、８００、８１５、８２５および８３５を利用することによって、第１の複数の電極は、相補導体８４５ＢＡ、８８６５ＢＡ、８４５ＢＢ、８６５ＢＢ、８５５ＡＢおよび８５５ＢＢの物理的および動的な遮蔽を提供する。
【００８４】
実質的に同一のエネルギー回路１（Ｃｌ）のエネルギー経路のこの対応する反対の配置は、グループ化された８４５ＢＢ、８６５ＢＢとそれぞれ相補的に対をなすグループ化された８４５ＢＡ、８８６５ＢＡを含み、回路２（Ｃ２）は、相補的に対をなす電極８５５ＡＢおよび８５５ＢＢとともに動作する。したがって、Ｃ１とＣ２は他方から９０度離れて配置され、互いに対してヌル関係になる。
【００８５】
全体的に、Ｃ１およびＣ２システムに結合した実施形態６０００は、２つのエネルギー経路間の対をなす対称の対応する反対の配置関係と考えられる静的な相補物理関係を確立しまたは生み出すのに使用可能である。Ｃｌのエネルギー経路８４５ＢＡ、８８６５ＢＡはそれぞれ８４５ＢＢ、８６５ＢＢと相補的に対をなし、Ｃ２は、実質的に同じ形状およびサイズの互いにヌルの相補電極８５５ＡＢおよび８５５ＢＢとともに動作するので、全体的に両者は、それらのそれぞれの対向する表面領域が他方と「面と向かって」一致するように他方と実質的に一致しまたは対応する。
【００８６】
Ｃ２が互いにヌルの相補電極８５５ＡＢおよび８５５ＢＢとともに動作する間に８４５ＢＢ、８６５ＢＢとそれぞれ相補的に対をなすＣ１のエネルギー経路８４５ＢＡ、８８６５ＢＡ間のこの平衡した対応する物理的な相補関係は、回路システムの両側に見られるエネルギー部分が、同時に２つの逆相のエネルギー部分が、Ｃ２が互いにヌルの相補電極８５５ＡＢおよび８５５ＢＢとともに動作する間に８４５ＢＢ、８６５ＢＢとそれぞれ相補的に対をなすＣ１の２つのそれぞれのエネルギー経路８４５ＢＡ、８８６５ＢＡのうちの一方を利用するこができる程度に、他方に対して平衡した相互に相補的な動的関係で、Ｃ２が互いにヌルの相補電極８５５ＡＢおよび８５５ＢＢとともに動作する間に８４５ＢＢ、８６５ＢＢとそれぞれ相補的に対をなすＣ１のエネルギー経路８４５ＢＡ、８８６５ＢＡと選択的に結合された通電されたアマルガム配置の通電および動作時に、少なくとも１つの回路システムに、動的動作で伝搬して、通電された回路システムの一部分でこのＡＯＣを利用しているこれらのエネルギーおよびその後の任意のエネルギーに対して実質的に平衡した進行中の持続可能な相補電気調節動作を確立し維持することを可能にする。他方に関して対をなすエネルギー部分は、２つの対応する部分と動的の範囲内で伝搬する続くエネルギー部分の相互作用または混合で効果的に相殺される、アンペール（Ａｍｐｅｒｅ）および彼の法則に始まる、ファラデー（Ｆａｒａｄａｙ）、マクスウェル（ｍａｘｗｅｌｌ）、テスラ（Ｔｅｓｌａ）、アインシュタイン（Ｅｉｎｓｔｅｉｎ）、プランク（Ｐｌａｎｃｋ）他の生涯の研究を含む科学によって確立された規則に従って互いに相殺する相互ｈ場伝搬を確立する。
【００８７】
ストレート垂直多回路動作が可能なアマルガムは、少なくとも２群の複数の電極経路の電極配置を含む。２群の複数の電極経路のうちの第１の複数の電極経路は、配置内に遮蔽電極と考えられる電極を含む。第１の複数の電極経路は、物理的な構成、外観、形状およびサイズにおいて互いに均一であることができる。垂直配置内で、第１の複数の電極経路のメンバは、全ての周囲縁８０５または．．．が互いに整列するように互いに対して重ねられて配置される。少なくとも３つの多回路アマルガム配置のそれぞれのアマルガム多回路配置はそれぞれ、通電動作中の回路基準節点として、および任意の多回路アマルガム配置の共通遮蔽電極構造の接地のための結合された共通エネルギー電位として単一の共通導電性領域を利用する。
【００８８】
いくつかのケースでは、垂直多回路アマルガム配置が、互いに対して水平に広げられ、他方の上にはスタックされない分離された回路配置部分を含む。
【００８９】
アマルガムおよび／またはアマルガム回路配置の動作能力とは、基本的に同じサイズ、および／または効果的かつ実質的に同じサイズの相補導体および／または電極および／または（両方の電極経路を有する）電極経路カウンターパートの対に沿ったさまざまなエネルギー部分の相補伝搬を調節する能力をいい、大部分はほとんど常に、スペーシングが空気であるのか、所定の特性を有する材料であるのか、かつ／あるいは単純に所定の特性を有する媒質および／または物質であるのかにかかわらず、電極間の少なくともある種のスペーシングによって物理的に分離される。次いで、相補エネルギー伝搬の調節も大部分は、互いに導電的に結合された、先に説明した相補電極経路対ではない複数の共用エネルギー導体または電極経路の介在する物理的により大きな配置によって分離される。この構造は、接地されたエネルギー経路構造、共通エネルギー経路構造、共通導電性構造、または相補導体を利用しているエネルギー部分セットと相補導体の両方に対して接地されたファラデー・ケージとして機能する遮蔽構造となり、アマルガムおよび／またはアマルガム回路配置は通常、エネルギー・システムおよび／または試験装置で見られるエネルギー経路に沿ってＤＣ、ＡＣおよびＡＣ／ＤＣハイブリッド型のエネルギー伝搬を使用するエネルギーを調節することができることに留意されたい。これは、多くのさまざまなタイプのエネルギー伝搬フォーマットを含むシステム、同じエネルギー・システム・プラットホーム内の多くの種類の回路伝搬特性を含むシステムでエネルギーを調節するアマルガムおよび／またはアマルガム回路配置の利用を含む。
【００９０】
図２Ａには示されておらず、図３Ａおよび４Ａに開示されている、−ＩＭＯ−「Ｘ」として示された追加的に配置された外側遮蔽電極経路および−ＩＭＩ−「Ｘ」として示された追加的に配置された内側遮蔽電極経路（８００／８００−ＩＭを除く）は常にオプションである。追加的に配置された外側および内側遮蔽電極経路も常に互いに導電的に結合され、さらに、８００／８００−ＩＭで示された中央遮蔽電極、および最終的な静的アマルガム中の複数の遮蔽電極のうちの他の任意のメンバに導電的に結合される。
【００９１】
８「ＸＸ」／８００−ＩＭを除いて、使用されるときには、図４Ａおよび４Ｂに示すように８００／８００−ＩＭで示された共通中央遮蔽電極をサンドイッチする少なくとも偶数の、または１対の−ＩＭＩ「Ｘ」が常にあり、使用されるときには、任意の最終的な静的アマルガムにおいて、８００／８００−ＩＭで示された共通中央遮蔽電極を含む複数の遮蔽電極に導電的に結合される。
【００９２】
（＃−ＩＭＩ−「Ｘ」）で示された任意の追加的に配置された内側に配置された共通遮蔽電極経路の有無にかかわらず、全体アマルガムの中の中央遮蔽電極または中央遮蔽電極グループである、あるいは中央遮蔽電極または中央遮蔽電極グループとして全体アマルガムの中に配置される任意の数の遮蔽電極は常に、少なくとも１である奇数個の遮蔽電極である。反対に、全体アマルガムの中に見られる第１の複数の電極または複数の遮蔽電極の電極の総数は常に、少なくとも３の奇数である。
【００９３】
−ＩＭＯ−「Ｘ」として示された追加的に配置された外側遮蔽電極経路は通常、アマルガムの遮蔽有効度を全体的に増大させる。これらの電極は、アマルガムに対する外側および内側起源のＥＭＩからの追加の遮蔽有効度を提供するのを助け、さらに、通常、被遮蔽相補電極に隣接した（８「ＸＸ」／８００−ＩＭを除く）−ＩＭ「Ｘ」−「Ｘ」と示されたもの以外の必須の遮蔽電極を容易にすることができる。さらに、アマルガムを構成する任意の複数のスタックされた全体電極の中心電極、ならびに任意の複数の第１の電極または遮蔽電極を含む全体電極の中心電極として相対的に示された中央遮蔽電極８００／８００−ＩＭを除いて、第１の複数の電極の残りの電極、ないし複数の遮蔽電極の残りの電極は、中央遮蔽電極８００／８００−ＩＭの両側に等しくかつ均一に分割される。
【００９４】
したがって、（共用中央遮蔽電極８００／８００−ＩＭを除く）複数の遮蔽電極の２グループの残りの電極の総数はそれぞれで常に偶数になるが、単一のおよび共用の像「０」電圧基準電位物理遮蔽構造が少なくとも３（図３Ａ〜３Ｂ）なので、中央遮蔽電極８００／８００−ＩＭと合わせると、全体では、常に互いに導電的に結合されたときに一緒に働く複数の遮蔽電極を含む奇数個の電極になる。
【００９５】
垂直にスタックされた分離された回路部分（図２Ａ〜Ｃ）または水平配置と垂直配置のハイブリッド（図４Ａ〜Ｂ）の場合以外、３でない例外はあったとしても少なく、少なくとも５つの遮蔽電極が必要となる。アマルガムのそれぞれの源−負荷回路システム、およびそれらのそれぞれの回路システムのエネルギーインまたはエネルギーアウト経路を含む任意のそれぞれの源−負荷回路システムの共通導電性領域または電位に導電的に結合された相互に結合されたそれぞれの複数の遮蔽電極に通電したときに、構造内に全体的にサンドイッチされた被遮蔽エネルギー経路に沿って伝搬するエネルギーに対して静電または動的遮蔽機能を提供する静電遮蔽構造として、偶数と奇数の両方の数の電極が互いに対してそれぞれ同様に動作する。
【００９６】
図３Ａを参照すると、多回路エネルギー調節構成部品の他の実施形態８０００の分解図が示されている。この実施形態では、材料層８０１の上に複数の共面電極が配置されている。最小構成では、構成部品８０００が、第１の回路を調節する相補的な第１の手段、第２の回路を調節する相補的な第２の手段、ならびに第１および第２の相補的な調節手段を個別にかつ互いから遮蔽する手段を備える。
【００９７】
回路を調節する相補的な第１の手段は、対をなす複数の相補電極８４５ＦＡ、８４５ＦＢによって提供される。第２の回路を調節する相補的な第２の手段は、対をなす第２の複数の相補電極８４５ＢＡ、８４５ＢＢによって提供される。
【００９８】
第１および第２の相補的な調節手段を個別にかつ互いから遮蔽する手段は、一般にＧＮＤＤと呼ばれる第３の複数の電極によって提供される。対をなすそれぞれの相補電極対の一方の電極は第１の材料層８０１上の所定の位置に配置される。対応する第２の電極は、第２の材料層８０１上の同じ位置に配置される。
【００９９】
対をなす第１の複数の相補電極８４５ＦＡ、８４５ＦＢおよび対をなす第２の複数の相補電極８４５ＢＡ、８４５ＢＢは、第３の複数の電極ＧＮＤＤに差し込まれる。第３の複数の電極ＧＮＤＧは、先に論じた共通遮蔽構造を提供し、そのため第３の複数の電極ＧＮＤＧは互いに導電的に結合された遮蔽電極として動作可能であり、最小インピーダンス経路を提供する。
【０１００】
互いに共面の対をなす第１の複数の電極の第１の電極８４５ＦＡと、対をなす第２の複数の電極の第１の電極８４５ＢＡは、第１の電極ＧＮＤＤの上、第２の電極ＧＮＤＤの下にスタックされる。互いに共面の対をなす第１の複数の電極の第２の電極８４５ＦＢと、対をなす第２の複数の電極の第２の電極８４５ＢＢは、第２の電極ＧＮＤＧの上、第３の電極ＧＮＤＧの下にスタックされる。
【０１０１】
対をなす第１の複数の相補電極８４５ＦＡ、８４５ＦＢはフィードスルー電極として示されており、一方、対をなす第２の複数の相補電極８４５ＢＡ、８４５ＢＢはバイパス電極として示されていることに留意されたい。これらの電極は、バイパスまたはフィードスルーの任意の組合せとすることができ、示した構成に限定されない。
【０１０２】
電極ＧＮＤＤは全て、後に論じる外部電極バンド７９８−１〜６に導電的に結合されており、したがって互いに導電的に結合されている。反対に、対をなす電極８４５ＦＡ／８４５ＦＢおよび８４５ＢＡ／８４５ＢＢのそれぞれの電極は、互いに導電的に分離されており、さらに第３の複数の電極ＧＮＤＧの電極からも導電的に分離されている。
【０１０３】
以上に最小構成を論じたが、追加の回路の結合を調節するために、第１および第２の対をなす複数の電極に追加の共面電極対を追加することができる。図３Ａを参照すると、対をなす第３の複数の電極８４５ＣＦＡ、８４５ＣＦＢが、第１および第２の対をなす複数の電極の対応する電極と共面の関係に追加されている。これらの電極は、クロスオーバー・フィードスルーと呼ばれる２つのフィードスルーから成るフィードスルーの変形である。図示はされていないが、追加の共面電極対を追加することができる。
【０１０４】
他の変形では、追加の遮蔽を提供し、外部共通導電性領域または経路に結合されたときに最小インピーダンス経路を提供する電極ＧＮＤＩが、対をなす電極間に共面関係で配置される。
【０１０５】
先に述べたように、対応する対をなす電極８３５ＦＡ／８３５ＦＢ、８３５ＢＡ／８３５ＢＢ、８３５ＣＦＡ／８３５ＣＦＢの追加の層を既存の層の上および／または下に追加することによって、構成部品８０００に追加の静電容量を追加することができる。
【０１０６】
図３Ｂを参照すると、組み立てられた状態の多回路アマルガム８０００が示されている。調節器本体の周囲には外部電極バンドが配置されている。共通遮蔽電極ＧＮＤＤおよびＧＮＤＩは、複数の外部電極７９８−１〜６に導電的に結合された複数の端子電極部分７９Ｇ−１〜６（図３Ａに示されている）を含む。対をなす第１の複数の電極の第１の電極８４５ＦＡはその両端に、外部電極８９１ＦＡおよび８９１ＦＢに導電的に結合された２つの端子電極部分７９ＦＡ（図３Ａに示されている）を含む。対をなす第１の複数の電極の第２の電極８４５ＦＢはその両端に、外部電極８９０ＦＡおよび８９０ＦＢに導電的に結合された２つの端子電極部分７９ＦＢ（図３Ａに示されている）を含む。対をなす第２の複数の電極の第１の電極８４５ＢＡは、外部電極８９０ＢＡに導電的に結合された端子電極部分７９ＢＡ（図３Ａに示されている）を含み、対をなす第２の複数の電極の第２の電極８４５ＢＢは、外部電極８９０ＢＢに導電的に結合された端子電極部分７９ＢＢ（図３Ａに示されている）を含む。対をなす第３の複数の電極の第１の電極８４５ＣＦＡはその両端に、それぞれ外部電極８９０ＣＦＡおよび８９０ＣＦＢに導電的に結合された２つの端子電極部分７９ＣＦＡ１、７９ＣＦＡ２（図３Ａに示されている）を含む。対をなす第３の複数の電極の第２の電極８４５ＣＦＢはその両端に、それぞれ外部電極８９１ＣＦＡおよび８９１ＣＦＢに導電的に結合された２つの端子電極部分７９ＣＦＢ１、７９ＣＦＢ２（図３Ａに示されている）を含む。対応する対をなす電極の端子電極部分および外部電極は互いから概ね１８０度の角度で配置され、エネルギーの相殺を可能にすることに留意されたい。
【０１０７】
以前の実施形態では、スタッキング６０００に電極を垂直に追加することによって、および共面スタッキング８０００に電極を水平に追加することによって多回路結合能力を提供する多層エネルギー調節器またはアマルガムを開示した。これらの実施形態の一変形が、図４Ａおよび４Ｂに示すように少なくとも３つの回路に対して多回路結合能力を提供するハイブリッド・アマルガム１００００である。
【０１０８】
次に図４Ａを参照すると、先に論じた材料層８０１上に形成された個々の電極層を示すアマルガム１００００の分解図が示されている。調節器１００００は、第１の回路を調節する相補的な第１の手段、第２の回路を調節する相補的な第２の手段、第３の回路を調節する相補的な第３の手段、および第１、第２および第３の相補的な調節手段を個別にかつ互いから遮蔽する手段を備える。
【０１０９】
回路を調節する相補的な第１の手段は、対をなす第１の複数の相補電極８４５ＢＡ１、８４５ＢＢ１によって提供される。第２の回路を調節する相補的な第２の手段は、対をなす第２の複数の相補電極８４５ＢＡ２、８４５ＢＢ２によって提供される。第３の回路を調節する相補的な第３の手段は、対をなす第３の複数の相補電極８５５ＢＡ、８５５ＢＢによって提供される。
【０１１０】
第１、第２および第３の相補的な調節手段を個別にかつ互いから遮蔽する手段は、一般にＧＮＤＧと呼ばれる第４の複数の電極によって提供される。
【０１１１】
第１および第２の対をなすそれぞれの相補電極対の一方の電極は、第１の材料層８０１上の所定の位置に配置される。対応する第２の電極は、第２の材料層８０１上の同じ位置に配置される。
【０１１２】
対をなす第１の複数の相補電極８４５ＢＡ１、８４５ＢＢ１、対をなす第２の複数の相補電極８４５ＢＡ２、８４５ＢＢ２および対をなす第３の複数の相補電極８５５ＢＡ、８５５ＢＢは、第４の複数の電極ＧＮＤＤに差し込まれる。第４の複数の電極ＧＮＤＧは、先に論じた共通遮蔽構造を提供し、そのため第４の複数の電極ＧＮＤＧは互いに導電的に結合された遮蔽電極として動作可能であり、外部に配置された共通導電性領域または経路に導電的に結合されたときに最小インピーダンス経路を提供する。
【０１１３】
互いに共面の対をなす第１の複数の電極の第１の電極８４５ＢＡ１と、対をなす第２の複数の電極の第１の電極８４５ＢＡ２は、第１の電極ＧＮＤＤの上、第２の電極ＧＮＤＤの下にスタックされる。互いに共面の対をなす第１の複数の電極の第２の電極８４５ＢＢ１と、対をなす第２の複数の電極の第２の電極８４５ＢＢ２は、第２の電極ＧＮＤＧの上、第３の電極ＧＮＤＧの下にスタックされる。対をなす第３の複数の電極の第１の電極８５５ＢＡは、第３の電極ＧＮＤＧの上、第４の電極ＧＮＤＧの下にスタックされる。対をなす第３の複数の電極の第２の電極８５５ＢＢは、第４の電極ＧＮＤＧの上、第５の電極ＧＮＤＧの下にスタックされる。この最小配列では、第１、第２および第３の複数の電極のそれぞれの電極が互いに導電的に分離され、さらに第４の複数の電極ＧＮＤＧからも導電的に分離されている。
【０１１４】
図４Ｂを参照すると、組み立てられた状態のハイブリッド・アマルガム１０００が示されている。調節器本体の周囲には外部電極バンドが配置されている。共通遮蔽電極ＧＮＤＧは、複数の外部電極７９８−１〜４に導電的に結合された複数の端子電極部分７９Ｇ−１〜４（図４Ａに示されている）を含む。対をなす第１の複数の電極の第１の電極８４５ＢＡ１は、外部電極８９０ＢＢに導電的に結合された端子電極部分７９ＢＢＡ１（図４Ａに示されている）を含み、対をなす第１の複数の電極の第２の電極８４５ＢＢ１は、外部電極８９０ＢＡに導電的に結合された端子電極部分７９ＢＢＢ１（図４Ａに示されている）を含む。対をなす第２の複数の電極の第１の電極８４５ＢＡ２は、外部電極８９１ＢＢに導電的に結合された端子電極部分７９ＢＢＡ２（図４Ａに示されている）を含み、対をなす第２の複数の電極の第２の電極８４５ＢＢ２は、外部電極８９１ＢＡに導電的に結合された端子電極部分７９ＢＢＢ２（図４Ａに示されている）を含む。対をなす第３の複数の電極の第１の電極８５５ＢＡは、外部電極８９３ＢＢに導電的に結合された端子電極部分７９ＢＡ（図４Ａに示されている）を含み、対をなす第３の複数の電極の第２の電極８５５ＢＢは、外部電極８９３ＢＡに導電的に結合された端子電極部分７９ＢＢ（図４Ａに示されている）を含む。対応する対をなす電極の端子電極部分および外部電極は互いから１８０度の角度で配置され、エネルギーの相殺を可能にすることに留意されたい。
【０１１５】
図示した対をなす電極は全てバイパス電極だが、この実施形態はこれに限定されるわけではなく、バイパス、フィードスルーおよび／またはクロスオーバー・フィードスルー電極対の任意の組合せを含むことができる。対応する対をなす電極の端子電極部分および外部電極は互いから１８０度の角度で配置され、エネルギーの相殺を可能にすることに留意されたい。図示されてはいないが、これまでの実施形態において先に示したように、より多くの追加の対をなす電極および電極ＧＮＤＧを追加することによって、結合された１つ、２つまたは全ての回路が使用可能な静電容量をさらに増大させることができる。
【０１１６】
先に論じたとおり、対応する対をなす電極および共通遮蔽電極を追加することによって、追加の回路接続を支持することができる。共通遮蔽電極は、接続された全ての回路に対する低インピーダンスの共通経路、ならびに最適化されたファラデーおよび／または遮蔽ケージのような機能およびサージ散逸領域を提供する既存の共通遮蔽構造に導電的に結合される。少なくとも２つの分離された源と少なくとも２つの分離された負荷の間の共通電圧および／または回路電圧基準を共用し提供するために、分離された複数の完全な回路が、同じ共通エネルギー経路に導電的に結合された関連共用電極遮蔽グループを有することができることは出願人によって十分に企図される。追加の遮蔽共通導体を任意の実施形態とともに使用して、出願人によって示され、かつ十分に企図される両方および／または複数の回路に対して、低インピーダンスの増大した共通経路条件を提供することができる。
【０１１７】
さらに、ほぼ任意の形状、厚さおよび／またはサイズのアマルガムおよび／またはアマルガム回路配置を構築することができ、形状、厚さおよび／またはサイズは電気応用に応じて変更することができる。以上のように、本発明のアマルガムは先に記載したさまざまな目的を達成する。本発明のアマルガムを示し説明したが、当業者なら、本発明のアマルガムの趣旨および範囲から逸脱することなく本発明のアマルガムに他の修正および変更を実施することができることは明らかであり、理解される。
【０１１８】
最後に、当業者ならば、さまざまな態様およびさまざまな実施形態要素の要素限界をそっくり、かつ／または部分的に交換できること、ならびに以上の説明は例にすぎず、添付の請求項に記載のアマルガムを限定することを意図したものでは全くないことを理解されたい。
【図面の簡単な説明】
【図１】
本発明の構成に基づく図２Ａの実施形態６０００の一部分の上面図である。
【図２Ａ】
２つの別個の相補エネルギー経路対を備えた多回路同相／差動モード・エネルギー調節器（ｃｏｎｄｉｔｉｏｎｅｒ）である、開示の構成に基づく実施形態６０００の分解平面図である。
【図２Ｂ】
開示の構成に基づく図２Ａの個別構成部品バージョン６０００の一部分の上面図である。
【図２Ｃ】
図２Ａおよび図２Ｂに開示した単一の共通基準節点を共用する分離された２つの回路の回路図である。
【図３Ａ】
共面遮蔽を有する（１つの）クロスオーバー・フィードスルー対、（１つの）ストレート・フィードスルー対および（１つの）バイパス対を含む３つの別個の相補エネルギー経路対を備えた多回路同相／差動モード・エネルギー調節器である、本発明の構成に基づく一変形実施形態８０００の分解平面図である。
【図３Ｂ】
本発明の構成に基づく図３Ａの構成部品８０００の一部分の上面図である。
【図４Ａ】
うち（２つの）対が共面である３つの別個の相補バイパス・エネルギー経路対を備えた多回路同相／差動モード・エネルギー調節器である、本発明の構成に基づく一変形実施形態１００００の分解平面図である。
【図４Ｂ】
本発明の構成に基づく図４Ａの構成部品１００００の一部分の上面図である。
【図１】
2004522295.tif 000003
【図２Ａ】
2004522295.tif 000004
【図２Ｂ】
2004522295.tif 000005
【図２Ｃ】
2004522295.tif 000006
【図３Ａ】
2004522295.tif 000007
【図３Ｂ】
2004522295.tif 000008
【図４Ａ】
2004522295.tif 000009
【図４Ｂ】
2004522295.tif 000010
【国際公開パンフレット】
2004522295.tif 000011
2004522295.tif 000012
2004522295.tif 000013
2004522295.tif 000014
2004522295.tif 000015
2004522295.tif 000016
2004522295.tif 000017
2004522295.tif 000018
2004522295.tif 000019
2004522295.tif 000020
2004522295.tif 000021
2004522295.tif 000022
2004522295.tif 000023
2004522295.tif 000024
2004522295.tif 000025
2004522295.tif 000026
2004522295.tif 000027
2004522295.tif 000028
2004522295.tif 000029
2004522295.tif 000030
2004522295.tif 000031
2004522295.tif 000032
2004522295.tif 000033
2004522295.tif 000034
2004522295.tif 000035
2004522295.tif 000036
2004522295.tif 000037
2004522295.tif 000038
2004522295.tif 000039
2004522295.tif 000040
2004522295.tif 000041
2004522295.tif 000042
2004522295.tif 000043
2004522295.tif 000044
2004522295.tif 000045
2004522295.tif 000046
2004522295.tif 000047
2004522295.tif 000048
2004522295.tif 000049
2004522295.tif 000050
2004522295.tif 000051
2004522295.tif 000052
2004522295.tif 000053
2004522295.tif 000054
2004522295.tif 000055
2004522295.tif 000056
2004522295.tif 000057
2004522295.tif 000058
2004522295.tif 000059
2004522295.tif 000060
2004522295.tif 000061
2004522295.tif 000062
2004522295.tif 000063
2004522295.tif 000064
2004522295.tif 000065
2004522295.tif 000066
2004522295.tif 000067
2004522295.tif 000068
2004522295.tif 000069
2004522295.tif 000070
2004522295.tif 000071
2004522295.tif 000072
【国際公開パンフレット（コレクトバージョン）】
2004522295.tif 000073
【国際調査報告】
2004522295.tif 000074